(57)【要約】  表示部（２０）の上側および下側で発生する輝度ムラを抑制する。  表示装置（１１）において、第１制御部（２３）は、走査線駆動回路（２５）に第１の一画面に対応する映像信号を表示部（２０）の先頭ラインから最終ラインへ供給させ、走査線駆動回路（２５）に第１の一画面に後続する第２の一画面に対応する映像信号を表示部（２０）の最終ラインから先頭ラインへ供給させ、電子シャッター付メガネ部（１３）において、第２制御部（３１、３６）は、一方の眼用のシャッター（１３ａ）および他方の眼用のシャッター（１３ｂ）の開閉を切替えるときに、一方の眼用のシャッター（１３ａ）および他方の眼用のシャッター（１３ｂ）の双方を閉状態とするシャッター遮蔽期間を設けるように一方の眼用のシャッター（１３ａ）および他方の眼用のシャッター（１３ｂ）を制御する。
2011048622.tif 000002
【特許請求の範囲】
【請求項１】
表示装置と電子シャッター付メガネ部とを含む映像表示システムであって、
前記表示装置は、画素部をライン単位で複数配置した表示部と、
前記画素部を駆動する走査信号を各画素部に供給する走査線駆動回路と、
映像信号を前記表示部に配置された各画素部に供給するデータ線駆動回路と、
立体映像の一画面の一方の眼用の画像情報が設定された第１フレームと前記一画面と同一画面の他方の眼用の画像情報が設定された第２フレームとから前記一画面の立体画像を構成する映像信号を、前記データ線駆動回路に供給する第１制御部と、
前記一画面の第１フレームと第２フレームとの切替えタイミングを示す映像同期信号を前記電子シャッター付メガネ部へ送信する第１通信部と、を具備し、
前記第１制御部は、さらに、前記走査線駆動回路に、
第１の一画面に対応する映像信号を前記表示部の先頭ラインから最終ラインへ供給させ、
前記第１の一画面に後続する第２の一画面に対応する映像信号を前記表示部の最終ラインから先頭ラインへ供給させ、
前記電子シャッター付メガネ部は、
一方の眼用のシャッターと、
他方の眼用のシャッターと、
前記映像同期信号を受信する第２通信部と、
前記映像同期信号に応じて前記一方の眼用のシャッターまたは前記他方の眼用のシャッターの開閉を制御する第２制御部と、を具備し、
前記第２制御部は、前記一方の眼用のシャッターおよび前記他方の眼用のシャッターの開閉を切替えるときに、前記一方の眼用のシャッターおよび前記他方の眼用のシャッターの双方を閉状態とするシャッター遮蔽期間を設けるように、前記一方の眼用のシャッターおよび前記他方の眼用のシャッターを制御する
映像表示システム。
【請求項２】
前記第１制御部は、
前記走査線駆動回路に、第１の一画面の第１フレームに対応する映像信号を前記表示部の先頭ラインから最終ラインへ供給させた後、
前記走査線駆動回路に、前記第１の一画面の第１フレームに後続する第１の一画面の第２フレームに対応する映像信号を前記表示部の先頭ラインから最終ラインへ供給させるまでの間、
前記第１の一画面の第１フレームに対応する黒信号を前記表示部の先頭ラインから最終ラインに供給させる
請求項１記載の映像表示システム。
【請求項３】
前記第１制御部は、
前記第１の一画面の第１フレームに対応する黒信号を前記表示部の先頭ラインから最終ラインに供給させる際、
前記シャッター遮蔽期間までは、前記第１の一画面の第１フレームに対応する黒信号を挿入せずに前記第１の一画面の第１フレームに対応する映像信号を供給し続ける
請求項２記載の映像表示システム。
【請求項４】
前記第１制御部は、前記シャッター遮蔽期間に、
前記第１の一画面の第１フレームに対応する黒信号を挿入しなかったラインについては、前記第１の一画面の第１フレームに対応する黒信号を同時に供給させる
請求項３記載の映像表示システム。
【請求項５】
前記第１制御部は、
前記走査線駆動回路に、前記第１の一画面の第２フレームに対応する映像信号を前記表示部の先頭ラインから最終ラインへ供給させた後、
前記走査線駆動回路に、前記第１の一画面の第２フレームに対応する映像信号を供給させた速度と同じ速度で前記第２の一画面の第１フレームに対応する映像信号を前記表示部の最終ラインから先頭ラインへ供給させる
請求項１記載の映像表示システム。
【請求項６】
前記第１制御部は、
前記走査線駆動回路に、前記第１の一画面の第２フレームに対応する映像信号を前記表示部の先頭ラインから最終ラインへ供給させた後、
前記走査線駆動回路に、前記第１の一画面の第２フレームに後続する第２の一画面の第１フレームに対応する映像信号を前記表示部の最終ラインから先頭ラインへ供給させるまでの間、
前記第１の一画面の第２フレームに対応する黒信号を前記表示部の先頭ラインから最終ラインに供給させる
請求項２記載の映像表示システム。
【請求項７】
前記第１制御部は、
前記第１の一画面の第２フレームに対応する黒信号を前記表示部の先頭ラインから最終ラインに供給させる際、
前記黒信号の先頭ラインについては、
前記第１の一画面の第２フレームに対応する黒信号の先頭ラインの２倍の期間供給し、
前記黒信号の最終ラインについては、
前記第１の一画面の第２フレームに対応する最終ラインの映像信号を供給し終わってから、前記第２の一画面の第１フレームに対応する最終ラインの映像信号を供給し始めるまでの間、供給する
請求項６記載の映像表示システム。
【請求項８】
前記第１の一画面の第２フレームに対応する最終ラインの映像信号を供給し終わってから、前記第２の一画面の第１フレームに対応する最終ラインの映像信号を供給し始めるまでの間の時間間隔がない場合、前記黒信号の最終ラインについては、供給しない
請求項６記載の映像表示システム。
【請求項９】
前記第１制御部は、
前記第１の一画面の第２フレームに対応する黒信号を前記表示部の先頭ラインから最終ラインに供給させる際、
前記シャッター遮蔽期間までは、前記第１の一画面の第２フレームに対応する黒信号を挿入せずに前記第１の一画面の第２フレームに対応する映像信号を供給し続ける
請求項６記載の映像表示システム。
【請求項１０】
前記第１制御部は、前記シャッター遮蔽期間に、
前記第１の一画面の第２フレームに対応する黒信号を挿入しなかったラインについては、前記第１の一画面の第２フレームに対応する黒信号を同時に供給させる
請求項９記載の映像表示システム。
【請求項１１】
前記第１制御部は、
前記走査線駆動回路に、第２の一画面の第１フレームに対応する映像信号を前記表示部の最終ラインから先頭ラインへ供給させた後、
前記走査線駆動回路に、前記第２の一画面の第１フレームに後続する第２の一画面の第２フレームに対応する映像信号を前記表示部の最終ラインから先頭ラインへ供給させるまでの間、
前記第２の一画面の第１フレームに対応する黒信号を前記表示部の最終ラインから先頭ラインに供給させる
請求項１記載の映像表示システム。
【請求項１２】
前記第１制御部は、
前記第２の一画面の第１フレームに対応する黒信号を前記表示部の最終ラインから先頭ラインに供給させる際、
前記シャッター遮蔽期間までは、前記第２の一画面の第１フレームに対応する黒信号を挿入せずに前記第２の一画面の第１フレームに対応する映像信号を供給し続ける
請求項１１記載の映像表示システム。
【請求項１３】
前記第１制御部は、前記シャッター遮蔽期間に、
前記第２の一画面の第１フレームに対応する黒信号を前記最終ラインから所定のラインに同時に供給させる
請求項１２記載の映像表示システム。
【請求項１４】
前記第１制御部は、
前記表示部により表示される画面領域を複数に分割し、
前記分割された画面領域ごとに各画面領域に対応する映像信号を供給させる
請求項１記載の映像表示システム。
【請求項１５】
前記第１制御部は、
同一フレームについて、前記分割された画面領域ごとに各画面領域に対応する映像信号を同一のライン方向に供給させる
請求項１４記載の映像表示システム。
【請求項１６】
前記第１制御部は、
前記同一のライン方向として、先頭ラインから最終ラインの方向または最終ラインから先頭ラインの方向のいずれかの方向に、各画面領域に対応する映像信号を供給させる
請求項１５記載の映像表示システム。
【請求項１７】
前記第１制御部は、
同一フレームについて、前記分割された画面領域ごとに各画面領域に対応する映像信号を、逆のライン方向に供給させる
請求項１４記載の映像表示システム。
【請求項１８】
前記第１制御部は、
前記逆のライン方向として、ある画面領域に対応する映像信号を先頭ラインから最終ラインの方向に供給した場合、他の画面領域に対応する映像信号を最終ラインから先頭ラインの方向に供給する
請求項１７記載の映像表示システム。
【請求項１９】
前記表示装置は、
前記映像信号を外部から入力する入力部を備える
請求項１記載の映像表示システム。
【請求項２０】
前記表示装置は、
前記第１フレームと前記第２フレームとが未分離の映像信号を外部から入力する入力部と、
前記未分離の映像信号から前記第１フレームと前記第２フレームとを分離して、前記第１フレームと前記第２フレームとから前記一画面の立体画像を構成する映像信号を生成して前記第１制御部に出力する信号処理部と、を設ける
請求項１記載の映像表示システム。
【請求項２１】
前記映像信号は、当該映像信号に対応する信号電圧である
請求項１〜２０のいずれかに記載の映像表示システム。
【請求項２２】
前記画素部は、発光素子と前記発光素子の駆動を制御する駆動素子とを含む
請求項１〜２１のいずれかに記載の映像表示システム。
【請求項２３】
前記駆動素子は、前記発光素子への電流の供給を制御する
請求項２２記載の映像表示システム。
【請求項２４】
前記発光素子は、有機エレクトロルミネセンス素子である
請求項２３記載の映像表示システム。
【請求項２５】
表示装置と電子シャッター付メガネ部とを用いて行われる映像表示方法であって、
前記表示装置は、
画素部をライン単位で複数配置した表示部と、
前記画素部を駆動させる走査信号を各画素部に供給する走査線駆動回路と、
映像信号を前記表示部に配置された各画素部に供給するデータ線駆動回路と、
立体映像の一画面の一方の眼用の画像情報が設定された第１フレームと前記一画面と同一画面の他方の眼用の画像情報が設定された第２フレームとから前記一画面の立体画像を構成する映像信号を、前記データ線駆動回路に供給する第１制御部と、
前記一画面の第１フレームと第２フレームとの切替えタイミングを示す映像同期信号を前記電子シャッター付メガネ部へ送信する第１通信部と、を具備し、
前記電子シャッター付メガネ部は、
一方の眼用のシャッターと、
他方の眼用のシャッターと、
前記映像同期信号を受信する第２通信部と、
前記映像同期信号に応じて前記一方の眼用のシャッターまたは前記他方の眼用のシャッターの開閉を制御する第２制御部と、を具備し、
前記第１制御部が、さらに、前記走査線駆動回路に、
第１の一画面に対応する映像信号を前記表示部の先頭ラインから最終ラインへ供給させるステップと、
前記第１の一画面に後続する第２の一画面に対応する映像信号を前記表示部の最終ラインから先頭ラインへ供給させるステップと、
前記第２制御部が、前記一方の眼用のシャッターおよび前記他方の眼用のシャッターの開閉を切替えるときに、前記一方の眼用のシャッターおよび前記他方の眼用のシャッターの双方を閉状態とするステップと、を含む
映像表示方法。
【請求項２６】
画素部をライン単位で複数配置した表示部と、
前記画素部を駆動させる走査信号を各画素部に供給する走査線駆動回路と、
映像信号を前記表示部に配置された各画素部に供給するデータ線駆動回路と、
立体映像の一画面の一方の眼用の画像情報が設定された第１フレームと前記一画面と同一画面の他方の眼用の画像情報が設定された第２フレームとから前記一画面の立体画像を構成する映像信号を、前記データ線駆動回路に供給する第１制御部と、を具備し、
前記第１制御部は、さらに、前記走査線駆動回路に、
第１の一画面に対応する映像信号を前記表示部の先頭ラインから最終ラインへ供給させ、
前記第１の一画面に後続する第２の一画面に対応する映像信号を前記表示部の最終ラインから先頭ラインへ供給させる
表示装置。
【請求項２７】
前記画素部は、発光素子と前記発光素子の駆動を制御する駆動素子とを含む
請求項２６記載の表示装置。
【請求項２８】
前記駆動素子は、前記発光素子への電流の供給を制御する
請求項２７記載の表示装置。
【請求項２９】
前記発光素子は、有機エレクトロルミネセンス素子である
請求項２８記載の表示装置。
【発明の詳細な説明】
【技術分野】
【０００１】
本発明は、立体映像の表示に適するように構成された映像表示システム、映像表示方法および表示装置に関する。
【背景技術】
【０００２】
従来、立体映像を表示させるために各種の方式が検討されている。その一例として、立体映像を視認するための視差に対応した一方の眼用の画像情報および他方の眼用の画像情報を表示装置に交互に表示し、電子シャッター付メガネのシャッターを切替えることにより立体映像を生成する方式がある（例えば、特許文献１参照）。【０００３】
この方式では、立体映像の一画面の映像信号は、前記一方の眼用の画像情報が設定された第１フレームと他方の眼用の画像情報が設定された第２フレームとに分離される。そして、画素部に次の書き換え信号が入力されるまで前の画像の輝度が保持されるホールド型の表示方法により、第１フレームの画像情報と第２フレームの画像情報が交互に表示部に表示される。視聴者は、第１フレームおよび第２フレームに同期して左右のシャッターの開閉を行う電子シャッター付メガネを介して一画面分の立体映像を認識できる。【０００４】
具体的には、図１７に示す。同図は、映像表示部の１列分の画素部について、映像表示部に表示される映像信号の表示時間を示している。同図の縦軸は、画面垂直方向を示し、横軸は時間を示している。すなわち、映像表示部の上側の画素部から下側の画素部に、順に映像信号が供給されていることを示している。そして、第１フレームと第２フレームで立体映像の一画面が構成されている。同図に示すように右眼用の画像情報が設定された第１フレームが表示されるときには、電子シャッター付メガネの左眼シャッターが閉じて右眼用の画像情報を認識し、左眼用の画像情報が設定された第２フレームでは右眼シャッターが閉じて左眼用の画像情報を認識する。これによって、視聴者は、立体映像を認識することができる。【０００５】
また、図１８に示すように、第１フレームの映像信号の表示期間と第２フレームの映像信号の表示期間との間に黒表示期間を設けることで、視聴者が第１フレームの映像と第２フレームの映像を混同して認識しないように構成されている。
【先行技術文献】
【特許文献】
【０００６】
【特許文献１】特開２０００−３６９６９号公報
【発明の概要】
【発明が解決しようとする課題】
【０００７】
しかし、上記従来の技術では、以下のような問題が生じていた。【０００８】
即ち、上記したような電子シャッター付メガネのシャッターには、シャッターの切替えが開始してから実際にシャッターの切替えが完了するまでに応答時間が存在する。そのため、シャッターの開閉の切替えは、各フレームで映像が終了する時点ではなく、映像の途中で行う必要がある。つまり、図１９に示すように、右眼用の画像情報が設定された第１フレームが表示されている途中で、次の左眼用の画像情報が設定された第２フレームに同期する右眼シャッターの閉口が開始されることとなる。その結果、各フレームにおいて一画面に対応する映像信号が映像表示部の上側の先頭ラインから映像表示部の下側の最終ラインまで供給されると、当該フレームの最終ライン付近では、映像の途中でシャッターが閉じ始め、映像表示部の下側の数ラインは映像表示部の上側に比べて視聴者により映像が認識される時間が短くなり、視聴者には映像表示部の下側の数ラインの映像が暗くなっているように認識される。このように、シャッターの切替えの応答時間により、映像表示部の上側および下側で輝度ムラが発生するという問題があった。【０００９】
また、図２０に示すように、電子シャッター付メガネのシャッターが完全に開いている期間に合わせて映像信号の表示される期間を短くすると、全ラインにおいて映像が表示される時間が短くなるため、画面全体が暗くなるという問題があった。【００１０】
本発明は、上記問題点に鑑み、画面の上側および下側で発生する輝度ムラを抑制する映像表示システム、映像表示方法および表示装置を提供することを目的とする。
【課題を解決するための手段】
【００１１】
上記課題を解決するために、本発明の一形態にかかる映像表示システムは、表示装置と電子シャッター付メガネ部とを含む映像表示システムであって、表示装置は、画素部をライン単位で複数配置した表示部と、画素部を駆動する走査信号を各画素部に供給する走査線駆動回路と、映像信号を表示部に配置された各画素部に供給するデータ線駆動回路と、立体映像の一画面の一方の眼用の画像情報が設定された第１フレームと一画面と同一画面の他方の眼用の画像情報が設定された第２フレームとから一画面の立体画像を構成する映像信号を、データ線駆動回路に供給する第１制御部と、一画面の第１フレームと第２フレームとの切替えタイミングを示す映像同期信号を電子シャッター付メガネ部へ送信する第１通信部とを具備し、第１制御部は、さらに、走査線駆動回路に、第１の一画面に対応する映像信号を表示部の先頭ラインから最終ラインへ供給させ、第１の一画面に後続する第２の一画面に対応する映像信号を表示部の最終ラインから先頭ラインへ供給させ、電子シャッター付メガネ部は、一方の眼用のシャッターと、他方の眼用のシャッターと、映像同期信号を受信する第２通信部と、映像同期信号に応じて一方の眼用のシャッターまたは他方の眼用のシャッターの開閉を制御する第２制御部とを具備し、第２制御部は、一方の眼用のシャッターおよび他方の眼用のシャッターの開閉を切替えるときに、一方の眼用のシャッターおよび他方の眼用のシャッターの双方を閉状態とするシャッター遮蔽期間を設けるように、一方の眼用のシャッターおよび他方の眼用のシャッターを制御することを特徴とする。
【発明の効果】
【００１２】
本発明にかかる映像表示システム、映像表示方法および表示装置によれば、映像表示部の上側および下側で発生する輝度ムラを抑制することができる。
【図面の簡単な説明】
【００１３】
【図１】図１は、本発明の実施の形態１にかかる映像表示システムの構成を示すブロック図である。
【図２Ａ】図２Ａは、図１における表示装置の構成を示すブロック図である。
【図２Ｂ】図２Ｂは、図２Ａにおける画素部の構成を示す回路図である。
【図３】図３は、図１における電子シャッター付メガネ部の構成を示すブロック図である。
【図４】図４は、図１に示す映像表示システムの駆動タイミングを示すタイミングチャートである。
【図５】図５は、図１に示す映像表示システムの動作を示すフローチャートである。
【図６】図６は、図５におけるスキャン反転単純制御の処理を示すフローチャートである。
【図７】図７は、図５における電子シャッター付メガネ部の動作を示すフローチャートである。
【図８】図８は、図５におけるスキャン通常制御の処理を示すフローチャートである。
【図９Ａ】図９Ａは、表示映像の一例を示す図である。
【図９Ｂ】図９Ｂは、図９Ａに示す表示映像において、電子シャッター付メガネ部の右眼シャッターを開閉したときに視聴者の右眼で認識される表示映像を示す図である。
【図１０】図１０は、実施の形態１において電子シャッター付メガネ部のシャッターを開閉したときの表示映像を示す図である。
【図１１Ａ】図１１Ａは、本発明の実施の形態２にかかる映像表示システムにおいて、電子シャッター付メガネ部のシャッターを開閉したときの表示映像を示す図である。
【図１１Ｂ】図１１Ｂは、図１１Ａに示す表示映像を示す図である。
【図１２】図１２は、実施の形態２における映像表示システムの動作を示すフローチャートである。
【図１３】図１３は、図１２におけるスキャン反転黒同時スキャン制御の処理を示すフローチャートである。
【図１４】図１４（ａ）〜（ｃ）は、表示映像の輝度を示す図であり、（ａ）は従来技術、（ｂ）は実施の形態１、（ｃ）は実施の形態２における表示画面の輝度を示す。
【図１５Ａ】図１５Ａは、変形例における表示映像の一例を示す図である。
【図１５Ｂ】図１５Ｂは、変形例における表示映像の他の例を示す図である。
【図１６】図１６は、変形例にかかる表示装置の構成を示すブロック図である。
【図１７】図１７は、従来の表示映像の一例を示す図である。
【図１８】図１８は、従来の表示映像の一例を示す図である。
【図１９】図１９は、従来の表示映像の一例を示す図である。
【図２０】図２０は、従来の表示映像の一例を示す図である。
【発明を実施するための形態】
【００１４】
請求項１に記載の態様の映像表示システムは、表示装置と電子シャッター付メガネ部とを含む映像表示システムであって、前記表示装置は、画素部をライン単位で複数配置した表示部と、前記画素部を駆動する走査信号を各画素部に供給する走査線駆動回路と、映像信号を前記表示部に配置された各画素部に供給するデータ線駆動回路と、立体映像の一画面の一方の眼用の画像情報が設定された第１フレームと前記一画面と同一画面の他方の眼用の画像情報が設定された第２フレームとから前記一画面の立体画像を構成する映像信号を、前記データ線駆動回路に供給する第１制御部と、前記一画面の第１フレームと第２フレームとの切替えタイミングを示す映像同期信号を前記電子シャッター付メガネ部へ送信する第１通信部と、を具備し、前記第１制御部は、さらに、前記走査線駆動回路に、第１の一画面に対応する映像信号を前記表示部の先頭ラインから最終ラインへ供給させ、前記第１の一画面に後続する第２の一画面に対応する映像信号を前記表示部の最終ラインから先頭ラインへ供給させ、前記電子シャッター付メガネ部は、一方の眼用のシャッターと、他方の眼用のシャッターと、前記映像同期信号を受信する第２通信部と、前記映像同期信号に応じて前記一方の眼用のシャッターまたは前記他方の眼用のシャッターの開閉を制御する第２制御部と、を具備し、前記第２制御部は、前記一方の眼用のシャッターおよび前記他方の眼用のシャッターの開閉を切替えるときに、前記一方の眼用のシャッターおよび前記他方の眼用のシャッターの双方を閉状態とするシャッター遮蔽期間を設けるように、前記一方の眼用のシャッターおよび前記他方の眼用のシャッターを制御するものである。
【００１５】
本態様によると、第２の一画面において、表示部の下側では映像の途中でシャッターが閉じることなく輝度が明るくなるので、第１の一画面と第２の一画面の２画面分での輝度が画面内で均一になる。その結果、表示部の上側および下側における輝度ムラが改善でき、映像の表示品質を向上することができる。
【００１６】
また、例えば、スキャンの順序を反転させるための配線を第１制御部と走査線駆動回路との間に設けるだけでスキャンの順序を反転させることができるので、複雑な制御や回路を必要とせず、簡易な構成で表示部の上側および下側における輝度のムラを改善できる。
【００１７】
請求項２に記載の態様の映像表示システムは、請求項１記載の映像表示システムにおいて、前記第１制御部は、前記走査線駆動回路に、第１の一画面の第１フレームに対応する映像信号を前記表示部の先頭ラインから最終ラインへ供給させた後、前記走査線駆動回路に、前記第１の一画面の第１フレームに後続する第１の一画面の第２フレームに対応する映像信号を前記表示部の先頭ラインから最終ラインへ供給させるまでの間、前記第１の一画面の第１フレームに対応する黒信号を前記表示部の先頭ラインから最終ラインに供給させるものである。
【００１８】
本態様によると、第１の一画面の第１フレームに対応する映像が表示部に表示された後、第１の一画面の第２フレームに対応する映像が表示部に表示されるまで、表示部が黒く表示される。そのため、第１の一画面の第２フレームに対応する映像が表示部に表示される際に、第１の一画面の第１フレームに対応する映像が視聴者の視覚に残像として混ざるのを防止できる。その結果、連続して表示される映像同士でクロストークが発生するのを防止でき、映像の表示品質を向上することができる。
【００１９】
請求項３に記載の態様の映像表示システムは、請求項２記載の映像表示システムにおいて、前記第１制御部は、前記第１の一画面の第１フレームに対応する黒信号を前記表示部の先頭ラインから最終ラインに供給させる際、前記シャッター遮蔽期間までは、前記第１の一画面の第１フレームに対応する黒信号を挿入せずに前記第１の一画面の第１フレームに対応する映像信号を供給し続けるものである。
【００２０】
本態様によると、シャッター遮蔽期間までは黒信号を挿入する代わりに画素部を発光させるので、まだシャッターが閉じていない期間に供給される無駄な黒信号を挿入する時間を発光時間に使うことができる。その結果、画面の輝度を上げることができ、映像の表示品質を向上することができる。
【００２１】
また、本態様により、第１の一画面の第１フレームと第２の一画面の第１フレームとで、信号の供給量を均一にできる。そのため、第１の一画面の第１フレームと第２の一画面の第１フレームとで輝度を上げるとともに輝度を均一にすることができる。
【００２２】
請求項４に記載の態様の映像表示システムは、請求項３記載の映像表示装置システムにおいて、前記第１制御部は、前記シャッター遮蔽期間に、前記第１の一画面の第１フレームに対応する黒信号を挿入しなかったラインについては、前記第１の一画面の第１フレームに対応する黒信号を同時に供給させるものである。
【００２３】
本態様によると、黒信号を先頭ラインから順次供給する場合に比べて、黒信号を供給する時間を短縮できる。そのため、この短縮できた時間を、画素部を発光させる時間に使用することができ、画素部をより長時間発光させることができる。その結果、表示部の輝度を上げることができる。
【００２４】
請求項５に記載の態様の映像表示システムは、請求項１記載の映像表示システムにおいて、前記第１制御部は、前記走査線駆動回路に、前記第１の一画面の第２フレームに対応する映像信号を前記表示部の先頭ラインから最終ラインへ供給させた後、前記走査線駆動回路に、前記第１の一画面の第２フレームに対応する映像信号を供給させた速度と同じ速度で前記第２の一画面の第１フレームに対応する映像信号を前記表示部の最終ラインから先頭ラインへ供給させるものである。
【００２５】
本態様によると、第１の一画面の第２フレームに対応する映像信号を供給させた速度と同じ速度で第２の一画面の第１フレームに対応する映像信号を表示部の最終ラインから先頭ラインへ供給させる。これにより、第１の一画面の第２フレームと第２の一画面の第１フレームとで、信号の供給量を均一にできる。そのため、第１の一画面の第２フレームと第２の一画面の第１フレームとの間の発光デューティーを均一にすることができる。
【００２６】
請求項６に記載の態様の映像表示システムは、請求項２記載の映像表示システムにおいて、前記第１制御部は、前記走査線駆動回路に、前記第１の一画面の第２フレームに対応する映像信号を前記表示部の先頭ラインから最終ラインへ供給させた後、前記走査線駆動回路に、前記第１の一画面の第２フレームに後続する次の第２の一画面の第１フレームに対応する映像信号を前記表示部の最終ラインから先頭ラインへ供給させるまでの間、前記第１の一画面の第２フレームに対応する黒信号を前記表示部の先頭ラインから最終ラインに供給させるものである。
【００２７】
本態様によると、第１の一画面の第２フレームに対応する映像信号を表示部の先頭ラインから最終ラインへ供給した後、第２の一画面の第１フレームに対応する映像信号を表示部の最終ラインから先頭ラインへ供給させるまでの間、第１の一画面の第２フレームに対応する黒信号を表示部の先頭ラインから最終ラインに供給する。これにより、第１の一画面の第２フレームに対応する映像が画面に表示された後、第２の一画面の第１フレームに対応する映像が画面に表示されるまで、画面に黒が表示される。そのため、第２の一画面の第１フレームに対応する映像が画面に表示される際、第１の一画面の第２フレームに対応する映像が混ざるのを防止できる。その結果、画面上でクロストークが発生するのを防止でき、映像の表示品位を向上することができる。
【００２８】
請求項７に記載の態様の映像表示システムは、請求項６記載の映像表示システムにおいて、前記第１制御部は、前記第１の一画面の第２フレームに対応する黒信号を前記表示部の先頭ラインから最終ラインに供給させる際、前記黒信号の先頭ラインについては、前記第１の一画面の第２フレームに対応する黒信号の先頭ラインの２倍の期間供給し、前記黒信号の最終ラインについては、前記第１の一画面の第２フレームに対応する最終ラインの映像信号を供給し終わってから、前記第２の一画面の第１フレームに対応する最終ラインの映像信号を供給し始めるまでの間、供給するものである。
【００２９】
本態様によると、黒信号の先頭ラインについては、第１の一画面の第２フレームに対応する黒信号の先頭ラインの２倍の期間供給する。そして、黒信号の最終ラインについては、第１の一画面の第２フレームに対応する最終ラインの映像信号を供給し終わってから、第２の一画面の第１フレームに対応する最終ラインの映像信号を供給し始めるまでの間、供給する。これにより、第１の一画面の第２フレームに対応する映像が画面に表示された後、第２の一画面の第１フレームに対応する映像が画面に表示されるまで、画面に黒を挿入することができる。
【００３０】
請求項８に記載の態様の映像表示システムは、請求項６記載の映像表示システムにおいて、前記第１の一画面の第２フレームに対応する最終ラインの映像信号を供給し終わってから、前記第２の一画面の第１フレームに対応する最終ラインの映像信号を供給し始めるまでの間の時間間隔がない場合、前記黒信号の最終ラインについては、供給しないものである。
【００３１】
本態様によると、第１の一画面の第２フレームに対応する最終ラインの映像信号を供給し終わってから、第２の一画面の第１フレームに対応する最終ラインの映像信号を供給し始めるまでの間の時間間隔がない場合、黒信号の最終ラインについては、黒信号を供給しない。これにより、最終ラインについて黒信号を挿入しないため、第２の一画面の第１フレームに対応する映像が画面に表示される際、第１の一画面の第２フレームに対応する映像が若干影響する。しかし、黒信号が供給されないのは一画面中の最終ラインのみであるため、一画面全体に与える影響は最小限に抑えることができる。その結果、表示品位の低下を最小限に抑えることができる。
【００３２】
請求項９に記載の態様の映像表示システムは、請求項６記載の映像表示システムにおいて、前記第１制御部は、前記第１の一画面の第２フレームに対応する黒信号を前記表示部の先頭ラインから最終ラインに供給させる際、前記シャッター遮蔽期間までは、前記第１の一画面の第２フレームに対応する黒信号を挿入せずに前記第１の一画面の第２フレームに対応する映像信号を供給し続けるものである。
【００３３】
本態様によると、シャッター遮蔽期間までは黒信号を挿入する代わりに画素部を発光させるので、まだシャッターが閉じていない期間に供給される無駄な黒信号を挿入する時間を発光時間に使うことができる。その結果、画面の輝度を上げることができ、映像の表示品質を向上することができる。
【００３４】
また、本態様により、第１の一画面の第２フレームと第２の一画面の第２フレームとで、信号の供給量を均一にできる。そのため、第１の一画面の第２フレームと第２の一画面の第２フレームとで輝度を上げるとともに輝度を均一にすることができる。
【００３５】
請求項１０に記載の態様の映像表示システムは、請求項９記載の映像表示装置システムにおいて、前記第１制御部は、前記シャッター遮蔽期間に、前記第１の一画面の第２フレームに対応する黒信号を挿入しなかったラインについては、前記第１の一画面の第２フレームに対応する黒信号を同時に供給させるものである。
【００３６】
本態様によると、黒信号を先頭ラインから順次供給する場合に比べて、黒信号を供給する時間を短縮できる。そのため、この短縮できた時間を、画素部を発光させる時間に使用することができ、画素部をより長時間発光させることができる。その結果、表示部の輝度を上げることができる。
【００３７】
請求項１１に記載の態様の映像表示システムは、請求項１記載の映像表示システムにおいて、前記第１制御部は、前記走査線駆動回路に、第２の一画面の第１フレームに対応する映像信号を前記表示部の最終ラインから先頭ラインへ供給させた後、前記走査線駆動回路に、前記第２の一画面の第１フレームに後続する第２の一画面の第２フレームに対応する映像信号を前記表示部の最終ラインから先頭ラインへ供給させるまでの間、前記第２の一画面の第１フレームに対応する黒信号を前記表示部の最終ラインから先頭ラインに供給させるものである。
【００３８】
本態様によると、第１の一画面の第１フレームに対応する映像が表示部に表示された後、第１の一画面の第２フレームに対応する映像が表示部に表示されるまで、表示部が黒く表示される。そのため、第１の一画面の第２フレームに対応する映像が表示部に表示される際に、第１の一画面の第１フレームに対応する映像が視聴者の視覚に残像として混ざるのを防止できる。その結果、連続して表示される映像同士でクロストークが発生するのを防止でき、映像の表示品質を向上することができる。
【００３９】
請求項１２に記載の態様の映像表示システムは、請求項１１記載の映像表示システムにおいて、前記第１制御部は、前記第２の一画面の第１フレームに対応する黒信号を前記表示部の最終ラインから先頭ラインに供給させる際、前記シャッター遮蔽期間までは、前記第２の一画面の第１フレームに対応する黒信号を挿入せずに前記第２の一画面の第１フレームに対応する映像信号を供給し続けるものである。
【００４０】
本態様によると、シャッター遮蔽期間までは黒信号を挿入する代わりに画素部を発光させるので、まだシャッターが閉じていない期間に供給される無駄な黒信号を挿入する時間を発光時間に使うことができる。その結果、画面の輝度を上げることができ、映像の表示品質を向上することができる。
【００４１】
また、本態様により、第１の一画面の第１フレームと第２の一画面の第１フレームとで、信号の供給量を均一にできる。そのため、第１の一画面の第１フレームと第２の一画面の第１フレームとで輝度を上げるとともに輝度を均一にすることができる。
【００４２】
請求項１３に記載の態様の映像表示システムは、請求項１２記載の映像表示システムにおいて、前記第１制御部は、前記シャッター遮蔽期間に、前記第２の一画面の第１フレームに対応する黒信号を前記最終ラインから所定のラインに同時に供給させるものである。
【００４３】
本態様によると、黒信号を先頭ラインから所定のラインまで順に供給する場合に比べて、黒信号を供給する時間を短縮できる。そのため、この短縮できた時間を、画素部を発光させる時間に使用することができ、画素部をより長時間発光させることができる。その結果、表示部の輝度を上げることができる。
【００４４】
請求項１４に記載の態様の映像表示システムは、請求項１記載の映像表示システムにおいて、前記第１制御部は、前記表示部により表示される画面領域を複数に分割し、前記分割された画面領域ごとに各画面領域に対応する映像信号を供給させるものである。
【００４５】
立体映像を表示するためには、データ線駆動回路および走査線駆動回路を駆動するための駆動周波数を高くする、即ち、映像信号を供給するための時間を短くすることが要求される。しかし、映像信号の供給時間を短くするためには、専用のドライバーを用いる必要があり、製造コストが高くなる。
【００４６】
本態様によると、画面領域を複数に分割せずに映像信号を供給させる場合に比べて、映像信号の供給時間を大幅に短縮できる。そのため、立体映像を表示させるために駆動周波数が高くなっても、専用のドライバーを用いる必要がなくなり、製造コストを削減することができる。
【００４７】
請求項１５に記載の態様の映像表示システムは、請求項１４記載の映像表示システムにおいて、前記第１制御部は、同一フレームについて、前記分割された画面領域ごとに各画面領域に対応する映像信号を同一のライン方向に供給させるものである。
【００４８】
請求項１６に記載の態様の映像表示システムは、請求項１５記載の映像表示システムにおいて、前記第１制御部は、前記同一のライン方向として、先頭ラインから最終ラインの方向または最終ラインから先頭ラインの方向のいずれかの方向に、各画面領域に対応する映像信号を供給させるものである。
【００４９】
請求項１７に記載の態様の映像表示システムは、請求項１４記載の映像表示システムにおいて、前記第１制御部は、同一フレームについて、前記分割された画面領域ごとに各画面領域に対応する映像信号を、逆のライン方向に供給させるものである。
【００５０】
請求項１８に記載の態様の映像表示システムは、請求項１７記載の映像表示システムにおいて、前記第１制御部は、前記逆のライン方向として、ある画面領域に対応する映像信号を先頭ラインから最終ラインの方向に供給した場合、他の画面領域に対応する映像信号を最終ラインから先頭ラインの方向に供給するものである。
【００５１】
本態様によると、同一フレームについて、画面領域ごとに各画面領域に対応する映像信号を供給させるので、画面領域を複数に分割せずに映像信号を供給させる場合に比べて、映像信号の供給時間を大幅に短縮できる。
【００５２】
請求項１９に記載の態様の映像表示システムは、請求項１記載の映像表示システムにおいて、前記表示装置は、前記映像信号を外部から入力する入力部を備えるものである。
【００５３】
本態様によると、表示部に映像信号を外部から入力する入力部を設けてもよい。
【００５４】
請求項２０に記載の態様の映像表示システムは、請求項１記載の映像表示システムにおいて、前記表示装置は、前記第１フレームと前記第２フレームとが未分離の映像信号を外部から入力する入力部と、前記未分離の映像信号から前記第１フレームと前記第２フレームとを分離して、前記第１フレームと前記第２フレームとから前記一画面の立体画像を構成する映像信号を生成して前記第１制御部に出力する信号処理部と、を設けるものである。
【００５５】
本態様によると、表示装置に第１フレームと第２フレームとが未分離の映像信号を外部から入力する入力部が設けられる。この場合、信号処理部において、未分離の映像信号から第１フレームと第２フレームとを分離して、一画面の立体映像を構成する映像信号が生成される。
【００５６】
請求項２１に記載の態様の映像表示システムは、請求項１〜２０のいずれかに記載の映像表示システムにおいて、前記映像信号は、当該映像信号に対応する信号電圧であるものである。
【００５７】
本態様によると、映像信号を当該映像信号に対応する信号電圧としてもよい。
【００５８】
請求項２２に記載の態様の映像表示システムは、請求項１〜２１のいずれかに記載の映像表示システムにおいて、前記画素部は、発光素子と前記発光素子の駆動を制御する駆動素子とを含むものである。
【００５９】
請求項２３に記載の態様の映像表示システムは、請求項２２記載の映像表示システムにおいて、前記駆動素子は、前記発光素子への電流の供給を制御するものである。
【００６０】
請求項２４に記載の態様の映像表示システムは、請求項２３記載の映像表示システムにおいて、前記発光素子は、有機エレクトロルミネセンス素子であるものである。
【００６１】
請求項２５に記載の態様の映像表示方法は、表示装置と電子シャッター付メガネ部とを用いて行われる映像表示方法であって、前記表示装置は、画素部をライン単位で複数配置した表示部と、前記画素部を駆動させる走査信号を各画素部に供給する走査線駆動回路と、前記映像信号に対応する映像信号を前記表示部に配置された各画素部に供給するデータ線駆動回路と、立体映像の一画面の一方の眼用の画像情報が設定された第１フレームと前記一画面と同一画面の他方の眼用の画像情報が設定された第２フレームとから前記一画面の立体画像を構成する映像信号を、前記データ線駆動回路に供給する第１制御部と、前記一画面の第１フレームと第２フレームとの切替えタイミングを示す映像同期信号を前記電子シャッター付メガネ部へ送信する第１通信部と、を具備し、前記電子シャッター付メガネ部は、一方の眼用のシャッターと、他方の眼用のシャッターと、前記映像同期信号を受信する第２通信部と、前記映像同期信号に応じて前記一方の眼用のシャッターまたは前記他方の眼用のシャッターの開閉を制御する第２制御部と、を具備し、前記第１制御部が、さらに、前記走査線駆動回路に、第１の一画面に対応する映像信号を前記表示部の先頭ラインから最終ラインへ供給させるステップと、前記第１の一画面に後続する第２の一画面に対応する映像信号を前記表示部の最終ラインから先頭ラインへ供給させるステップと、前記第２制御部が、前記一方の眼用のシャッターおよび前記他方の眼用のシャッターの開閉を切替えるときに、前記一方の眼用のシャッターおよび前記他方の眼用のシャッターの双方を閉状態とするステップと、を含むものである。
【００６２】
請求項２６に記載の態様の表示装置は、画素部をライン単位で複数配置した表示部と、前記画素部を駆動させる走査信号を各画素部に供給する走査線駆動回路と、映像信号を前記表示部に配置された各画素部に供給するデータ線駆動回路と、立体映像の一画面の一方の眼用の画像情報が設定された第１フレームと前記一画面と同一画面の他方の眼用の画像情報が設定された第２フレームとから前記一画面の立体画像を構成する映像信号を、前記データ線駆動回路に供給する第１制御部と、を具備し、前記第１制御部は、さらに、前記走査線駆動回路に、第１の一画面に対応する映像信号を前記表示部の先頭ラインから最終ラインへ供給させ、前記第１の一画面に後続する第２の一画面に対応する映像信号を前記表示部の最終ラインから先頭ラインへ供給させるものである。
【００６３】
本態様によると、第２の一画面において、表示部の下側では映像の途中でシャッターが閉じることなく輝度が明るくなるので、視聴者が電子シャッター付きメガネで映像を視聴した場合、第１の一画面と第２の一画面の２画面分での輝度が画面内で均一になる。その結果、画面の上側および下側における輝度ムラが改善でき、映像の表示品質を向上することができる。
【００６４】
また、スキャンの順序を反転させるための配線を第１制御部と走査線駆動回路との間に設けるだけで、スキャンの順序を反転させることができるので、複雑な制御や回路を必要とせず、簡易な構成で実現できる。
【００６５】
請求項２７に記載の態様の表示装置は、請求項２６記載の表示装置において、前記画素部は、発光素子と前記発光素子の駆動を制御する駆動素子とを含むものである。
【００６６】
請求項２８に記載の態様の表示装置は、請求項２７記載の表示装置において、前記駆動素子は、前記発光素子への電流の供給を制御するものである。
【００６７】
請求項２９に記載の態様の表示装置は、請求項２８記載の表示装置において、前記発光素子を、有機エレクトロルミネセンス素子とするものである。
【００６８】
以下、本発明の実施の形態にかかる映像表示システム、映像表示方法、および表示装置について図面に基づき説明する。なお、以下では、全ての図を通じて同一または相当する要素には同じ符号を付して、その重複する説明を省略する。
【００６９】
（実施の形態１）
本実施の形態１にかかる映像表示システムは、表示装置と電子シャッター付メガネ部とを含む映像表示システムであって、表示装置は、画素部をライン単位で複数配置した表示部と、画素部を駆動する走査信号を各画素部に供給する走査線駆動回路と、映像信号を表示部に配置された各画素部に供給するデータ線駆動回路と、立体映像の一画面の一方の眼用の画像情報が設定された第１フレームと一画面と同一画面の他方の眼用の画像情報が設定された第２フレームとから一画面の立体画像を構成する映像信号を、データ線駆動回路に供給する第１制御部と、一画面の第１フレームと第２フレームとの切替えタイミングを示す映像同期信号を電子シャッター付メガネ部へ送信する第１通信部とを具備し、第１制御部は、さらに、走査線駆動回路に、第１の一画面に対応する映像信号を表示部の先頭ラインから最終ラインへ供給させ、第１の一画面に後続する第２の一画面に対応する映像信号を表示部の最終ラインから先頭ラインへ供給させ、電子シャッター付メガネ部は、一方の眼用のシャッターと、他方の眼用のシャッターと、映像同期信号を受信する第２通信部と、映像同期信号に応じて一方の眼用のシャッターまたは他方の眼用のシャッターの開閉を制御する第２制御部とを具備し、第２制御部は、一方の眼用のシャッターおよび他方の眼用のシャッターの開閉を切替えるときに、一方の眼用のシャッターおよび他方の眼用のシャッターの双方を閉状態とするシャッター遮蔽期間を設けるように、一方の眼用のシャッターおよび他方の眼用のシャッターを制御することを特徴とする。
【００７０】
このような構成により、第２の一画面において表示部の下側では映像の途中でシャッターが閉じることなく輝度が明るくなるので、第１の一画面と第２の一画面の２画面分での輝度が画面内で均一になる。その結果、画面の上側および下側における輝度ムラが改善でき、映像の表示品質を向上することができる。
【００７１】
以下に、本実施の形態について、有機ＥＬフラットパネルディスプレイを表示装置として備えた映像表示システムを例として、図面を参照しながら説明する。
【００７２】
図１は、本発明の映像表示システムの構成を示すブロック図である。同図に示すように、映像表示システム１は、表示装置１１と、映像信号出力部１２と、電子シャッター付メガネ部１３とを備えている。
【００７３】
映像信号出力部１２は、映像信号を表示装置１１に出力するとともに、同期信号を電子シャッター付メガネ部１３に出力する。ここで、映像信号は、立体映像または平面映像のいずれであってもよい。また、同期信号は、表示装置１１に出力される映像信号が右眼用の画像情報が設定されたフレームであるか左眼用の画像情報が設定されたフレームであるかを電子シャッター付メガネ部１３に伝達するための信号である。
【００７４】
図２Ａは、図１における表示装置１１の構成を示すブロック図である。同図に示すように、表示装置１１は、映像表示部２０と、信号入力部２１と、信号処理部２２と、駆動信号制御部２３と、信号送信部２４と、スキャン信号転送部２５と、データ信号転送部２６とを備えている。なお、映像表示部２０、信号入力部２１、信号処理部２２、駆動信号制御部２３、スキャン信号転送部２５、データ信号転送部２６が、それぞれ本発明における表示部、入力部、信号処理部、第１制御部、走査線駆動回路、データ線駆動回路に相当する。
【００７５】
映像表示部２０は、画素部１７をライン単位で複数備え、映像信号出力部１２から表示装置１１に入力された映像信号に基づいて画像を表示する。画素部１７は、例えば、図２Ｂに示すように、発光素子１５と発光素子１５への電流の供給を制御する駆動素子１６とを備えている。さらに、各画素部１７には、駆動素子１６を駆動させる走査信号を供給するゲート線Ｈｙ（ｙ＝１，２，…，ａ，ａ＋１，…，ｙ）と、映像信号を各画素部１７に供給するデータ線Ｖｘ（ｘ＝１，２，…，ｘ）とが接続されている。そして、上記した映像信号に応じて、ゲート線Ｈｙに入力された信号により駆動素子１６が駆動され、データ線Ｖｘから入力された信号により発光素子１５に電流が供給されて、発光素子１５が発光する。この場合、発光素子１５には有機エレクトロルミネセンス素子が用いられる。
【００７６】
また、図２Ａに示すように、信号入力部２１は、右眼用の画像情報が設定された第１フレームと左眼用の画像情報が設定された第２フレームとが未分離の映像信号を、表示装置１１の外部に設けられた映像信号出力部１２から受信し、信号処理部２２に供給する。
【００７７】
信号処理部２２は、上記した未分離の映像信号から第１フレームと第２フレームの画像情報を分離して、第１フレームの画像情報と第２フレームの画像情報を第１制御部である駆動信号制御部２３に出力する。また、第１フレームと第２フレームとの切替えタイミングを示す映像同期信号を信号送信部２４へ供給する。
【００７８】
駆動信号制御部２３は、信号処理部２２から入力された第１フレームと第２フレームの画像情報に対応してスキャン信号転送部２５を駆動するための走査信号を生成し、スキャン信号転送部２５へ供給する。具体的には、スキャン信号転送部２５に、第１の一画面に対応する映像信号を映像表示部２０の先頭ラインに対応するゲート線Ｈ１（以下、先頭ラインＨ１という）から最終ラインに対応するゲート線Ｈｙ（以下、最終ラインＨｙという）へ走査させ、第１の一画面に後続する次の第２の一画面に対応する映像信号を最終ラインＨｙから先頭ラインＨ１へ走査させるための走査信号を供給する。また、駆動信号制御部２３は、信号処理部２２から入力された第１フレームと第２フレームの画像情報をデータ信号転送部２６に供給する。
【００７９】
信号送信部２４は、信号処理部２２から供給された映像同期信号を、電子シャッター付メガネ部１３へ送信する。
【００８０】
スキャン信号転送部２５は、シフトレジスタなどの切替えスイッチを有する構成であり、駆動信号制御部２３から供給された走査信号を、ゲート線Ｈｙを介して映像表示部２０に設けられた画素部１７に供給し、駆動素子１６を駆動して、画像情報に応じて発光素子１５を発光させる。また、データ信号転送部２６は、スキャン信号転送部２５により走査されるゲート線Ｈｙが接続された各画素部１７で表示されるべき映像信号を、データ線Ｖｘを介して各画素部１７へ供給する。このとき、映像表示部２０の上側のゲート線Ｈｙを先頭ラインとして、上側の先頭ラインＨ１から下側の最終ラインＨｙに向かって上記した走査信号が供給されるときには、データ信号転送部２６は、上側の先頭ラインＨ１から下側の最終ラインＨｙに対応する映像信号を、ラインごとに順にデータ線Ｖｘに供給する。また、映像表示部２０の下側の最終ラインＨｙから上側の先頭ラインＨ１に向かって上記した走査信号が供給されるときには、データ信号転送部２６は、下側の最終ラインＨｙから上側の先頭ラインＨ１に対応する映像信号を、ラインごとに順にデータ線Ｖｘに供給する。
【００８１】
電子シャッター付メガネ部１３は、右眼シャッター１３ａと、左眼シャッター１３ｂとを有している。
【００８２】
図３は、電子シャッター付メガネ部１３の構成を示すブロック図である。同図に示すように、電子シャッター付メガネ部１３は、エミッタ３０と、信号受信部３５と、シャッター切替部３６とを備えている。また、エミッタ３０は、メガネ同期制御部３１と、信号送信部３２とを備えている。ここで、エミッタ３０は、電子シャッター付メガネ部１３に設けられなくても、外付けとする構成であってもよく、表示装置１１に内蔵されていてもよい。また、有線接続されなくても、例えば赤外線などによって、信号の送受信が行われる構成であってもよい。なお、メガネ同期制御部３１が本発明における第２制御部、第２通信部に相当する。また、信号受信部３５が本発明における第２受信部、シャッター切替部３６が第２制御部に相当する。
【００８３】
メガネ同期制御部３１は、表示装置１１から出力された映像同期信号と、映像信号出力部１２から出力された同期信号を受信し、メガネ制御信号を生成する。メガネ制御信号は、各フレームの映像同期信号が開始されてから所定の期間は、右眼シャッター１３ａまたは左眼シャッター１３ｂのいずれかを開口し、所定期間経過後は開口していた右眼シャッター１３ａまたは左眼シャッター１３ｂを閉口する制御信号である。これにより、右眼シャッター１３ａおよび左眼シャッター１３ｂの開閉を切替えるときに、シャッターの双方を閉状態とする制御が行われる。
【００８４】
その後、メガネ同期制御部３１は、映像同期信号とメガネ制御信号を信号送信部３２に出力する。
【００８５】
信号送信部３２は、受信した映像同期信号とメガネ制御信号をさらに信号受信部３５に供給する。このとき、例えば、エミッタ３０が電子シャッター付メガネ部１３に外付けされる構成であれば、赤外線通信方式により、信号送信部３２から電子シャッター付メガネ部１３の信号受信部３５にこれらの信号が送信される。
【００８６】
信号受信部３５は、映像同期信号とメガネ制御信号を受信すると、シャッター切替部３６にこれらの信号を供給する。そして、シャッター切替部３６は、映像同期信号に同期して、メガネ制御信号により電子シャッター付メガネ部１３の右眼シャッター１３ａおよび左眼シャッター１３ｂの開閉を制御する。
【００８７】
以下に、映像表示システム１の動作手順を示す。
【００８８】
図４は、図１に示す映像表示システム１の駆動タイミングを示すタイミングチャート、図５〜８は、映像表示システム１の動作の流れを示すフローチャートである。また、図９Ａ、９Ｂ、１０は、表示映像の一例を示す図である。
【００８９】
図４において、右眼ｎフレームの映像信号が映像表示部２０に表示される期間に、表示装置１１に映像信号Ｖｓｙｎｃが入力されると、映像表示部２０の上側から下側に向かって、つまり、映像表示部２０の先頭ラインＨ１から順に最終ラインＨｙまで、スキャン信号転送部２５から映像信号を走査するための第１パルスが順に印加される。続いて、黒信号を走査するための第２パルスが、先頭ラインＨ１から順に最終ラインＨｙまで印加される。黒信号は、視聴者が右眼ｎフレームの映像信号と、次の左眼ｍフレームの映像信号を混同して認識しないように、左眼ｍフレームの映像信号が走査される前に走査される。つまり、右眼ｎフレームに対応する映像が映像表示部２０に表示された後、左眼ｍフレームに対応する映像が映像表示部２０に表示されるまでの間、黒信号を走査して映像表示部２０が黒く表示されることにより、左眼ｍフレームに対応する映像が表示される際に、右眼ｎフレームに対応する映像が視聴者の視覚に残像として混ざるのを防止できる。その結果、連続して表示される右眼ｎフレームに対応する映像と左眼ｍフレームに対応する映像でクロストークが発生するのを防止でき、映像の表示品質を向上することができる。
【００９０】
右眼ｎフレームの走査が終了すると、続いて左眼ｍフレームの映像信号Ｖｓｙｎｃが表示装置１１に入力され、走査が開始される。左眼ｍフレームでも同様に、映像表示部２０の上側から下側に向かって、つまり、映像表示部２０の先頭ラインＨ１から順に最終ラインＨｙまで、スキャン信号転送部２５から映像信号を走査するための第１パルスが順に印加される。続いて、黒信号を走査するための第２パルスが先頭ラインＨ１から順に最終ラインＨｙまで印加される。なお、右眼ｎフレームと左眼ｍフレームにより、第１の一画面が形成される。
【００９１】
左眼ｍフレームの走査が終了すると、続いて右眼ｎ＋１フレームの映像信号Ｖｓｙｎｃが表示装置１１に入力され、走査が開始される。右眼ｎ＋１フレームでは、映像表示部２０の下側から上側に向かって、つまり、映像表示部２０の最終ラインＨｙから順に先頭ラインＨ１まで、スキャン信号転送部２５から映像信号を走査するための第１パルスが、左眼ｍフレームの映像信号Ｖｓｙｎｃが印加された速度と同じ速度で順に印加される。続いて黒信号を走査するための第２パルスが最終ラインＨｙから順に先頭ラインＨ１まで印加される。
【００９２】
右眼ｎ＋１フレームの走査が終了すると、続いて左眼ｍ＋１フレームの映像信号Ｖｓｙｎｃが表示装置１１に入力され、走査が開始される。左眼ｍ＋１フレームでも同様に、映像表示部２０の下側から上側に向かって、つまり、映像表示部２０の最終ラインＨｙから順に先頭ラインＨ１まで、スキャン信号転送部２５から映像信号を走査するための第１パルスが順に印加される。続いて、黒信号を走査するための第２パルスが、最終ラインＨｙから順に先頭ラインＨ１まで印加される。なお、右眼ｎ＋１フレームと左眼ｍ＋１フレームにより、第２の一画面が形成される。
【００９３】
図５に、上記した駆動タイミングで映像表示システム１が動作するためのフローチャートを示す。
【００９４】
映像信号出力部１２から出力された右眼ｎフレームの映像信号Ｖｓｙｎｃは、表示装置１１の信号入力部２１で受信される（ステップＳ１０）。この映像信号Ｖｓｙｎｃには、第１フレームと第２フレームとの切替えタイミングを示す映像同期信号と、立体映像に関する情報を含んだ３Ｄ信号が付加されている。なお、立体映像でない場合には、映像信号Ｖｓｙｎｃに３Ｄ信号は付加されていない。そして、映像信号Ｖｓｙｎｃを受信した信号入力部２１から信号処理部２２に、映像信号Ｖｓｙｎｃが供給される。
【００９５】
信号処理部２２は、供給された映像信号Ｖｓｙｎｃを解析して（ステップＳ１１）、映像信号Ｖｓｙｎｃから映像同期信号、３Ｄ信号を分離する。そして、映像信号Ｖｓｙｎｃに３Ｄ信号が付加されているかどうかを検出し（ステップＳ１２）、映像信号を立体表示または平面表示するための制御信号であるディスプレイ制御信号を生成し、駆動信号制御部２３に出力する。なお、ディスプレイ制御信号には、上記した走査信号と、映像信号Ｖｓｙｎｃまたは黒信号が含まれる。ここで、映像信号Ｖｓｙｎｃに３Ｄ信号が付加されている場合には、信号処理部２２は、さらに、映像信号Ｖｓｙｎｃから第１フレームの画像情報と第２フレームの画像情報を分離している。
【００９６】
また、映像信号Ｖｓｙｎｃに３Ｄ信号が付加されている場合には、信号処理部２２は、映像同期信号を、信号処理部２２から信号送信部２４を介して電子シャッター付メガネ部１３へ出力する。そして、映像同期信号を受信した電子シャッター付メガネ部１３では、シャッターメガネ動作が行われる（ステップＳ１３）。なお、シャッターメガネ動作については、後に詳しく説明する。
【００９７】
そして、駆動信号制御部２３では、ディスプレイ制御信号により、スキャン反転制御が行われる（ステップＳ１４）。なお、本実施の形態で行われるスキャン反転制御を、スキャン反転単純制御と呼ぶこととする。
【００９８】
図６は、スキャン反転単純制御の処理を示すフローチャートである。ここでは、図４の右眼ｎ＋１フレームを例として説明する。ディスプレイ制御信号を受信した駆動信号制御部２３は、前フレームである左眼ｍフレームが、順方向、つまり、映像表示部２０の上側の先頭ラインＨ１から下側の最終ラインＨｙに向けてスキャンされたかどうかを検出する（ステップＳ２０）。そして、左眼ｍフレームが順方向にスキャンされたと検出した場合には、さらに、ディスプレイ制御信号が映像信号Ｖｓｙｎｃであるかどうかを検出する（ステップＳ２１）。
【００９９】
そして、駆動信号制御部２３は、ディスプレイ制御信号が映像信号Ｖｓｙｎｃであると検出した場合には、映像信号Ｖｓｙｎｃを逆方向にスキャンする制御を行う（ステップＳ２２）。つまり、左眼ｍフレームと逆方向で、映像表示部２０の下側の最終ラインＨｙから上側の先頭ラインＨ１に向けて、左眼ｍフレームの映像信号Ｖｓｙｎｃがスキャンされた速度と同じ速度でスキャンをするように、スキャン信号転送部２５に走査信号を供給する。これにより、スキャン信号転送部２５は、図４に示したようなタイミングで、ゲート線Ｈｙを介して映像表示部２０に第１パルスを出力する。また、データ信号転送部２６は、下側の最終ラインＨｙから上側の先頭ラインＨ１の順に、対応する各ラインの映像信号Ｖｓｙｎｃをデータ線Ｖｘのそれぞれに出力する（ステップＳ１５）。
【０１００】
また、駆動信号制御部２３は、ディスプレイ制御信号が映像信号Ｖｓｙｎｃでないと検出した場合、つまり、黒信号であると検出した場合には、黒信号を逆方向にスキャンする制御を行う（ステップＳ２３）。つまり、左眼ｍフレームと逆方向で、映像表示部２０の下側の最終ラインＨｙから上側の先頭ラインＨ１に向けて、左眼ｍフレームの映像信号Ｖｓｙｎｃがスキャンされた速度と同じ速度でスキャンをするように、スキャン信号転送部２５に走査信号を供給する。これにより、スキャン信号転送部２５は、図４に示したようなタイミングで、ゲート線Ｈｙを介して映像表示部２０に第２パルスを出力する。また、データ信号転送部２６は、逆方向、つまり、下側の最終ラインＨｙから上側の先頭ラインＨ１の順に、黒信号をデータ線Ｖｘのそれぞれに出力する（ステップＳ１５）。ここで、黒信号の先頭ラインＨ１については、左眼ｍフレームに対応する黒信号の先頭ラインＨ１の２倍の期間黒信号を供給し、黒信号の最終ラインＨｙについては、左眼ｍフレームに対応する最終ラインＨｙの映像信号Ｖｓｙｎｃを供給し終わってから右眼ｎ＋１フレームに対応する最終ラインＨｙの映像信号Ｖｓｙｎｃを供給し始めるまでの間、黒信号を供給する。なお、左眼ｍフレームに対応する最終ラインＨｙの映像信号を供給し終わってから右眼ｎ＋１フレームに対応する最終ラインＨｙの映像信号を供給し始めるまでの間の時間間隔がない場合には、最終ラインＨｙには黒信号を供給せず、左眼ｍフレームの映像信号Ｖｓｙｎｃに続けて右眼ｎ＋１フレームの映像信号Ｖｓｙｎｃを供給する。
【０１０１】
また、同一の一画面を形成する左眼ｍ＋１フレームについても、上記した右眼ｎ＋１フレームと同様に、逆方向にスキャンする制御が行われる。
【０１０２】
次に、図４の右眼ｎフレームを例に説明する。ディスプレイ制御信号を受信した駆動信号制御部２３は、前フレームである左眼ｍ−１フレーム（図示せず）が、順方向にスキャンされたかどうかを検出する（ステップＳ２０）。そして、左眼ｍ−１フレームが順方向にスキャンされていないと検出した場合には、さらに、ディスプレイ制御信号が映像信号Ｖｓｙｎｃであるかどうかを検出する（ステップＳ２４）。
【０１０３】
そして、駆動信号制御部２３は、ディスプレイ制御信号が映像信号Ｖｓｙｎｃであると検出した場合には、映像信号Ｖｓｙｎｃを順方向にスキャンする制御を行う（ステップＳ２５）。つまり、映像表示部２０の上側の先頭ラインＨ１から下側の最終ラインＨｙに向けてスキャンをするように、スキャン信号転送部２５に走査信号を供給する。これにより、スキャン信号転送部２５は、図４に示したようなタイミングで、ゲート線Ｈｙを介して映像表示部２０に第１パルスを出力する。また、データ信号転送部２６は、上側の先頭ラインＨ１から下側の最終ラインＨｙの順に、対応する各ラインの映像信号Ｖｓｙｎｃをデータ線Ｖｘのそれぞれに出力する（ステップＳ１５）。
【０１０４】
また、駆動信号制御部２３は、ディスプレイ制御信号が映像信号Ｖｓｙｎｃでないと検出した場合、つまり、黒信号であると検出した場合には、黒信号を順方向にスキャンする制御を行う（ステップＳ２６）。つまり、映像表示部２０の上側の先頭ラインＨ１から下側の最終ラインＨｙに向けてスキャンをするようにスキャン信号転送部２５に走査信号を供給する。これにより、スキャン信号転送部２５は、図４に示したようなタイミングで、ゲート線Ｈｙを介して映像表示部２０に第２パルスを出力する。また、データ信号転送部２６は、順方向、つまり、上側の先頭ラインＨ１から下側の最終ラインＨｙの順に、黒信号をデータ線Ｖｘのそれぞれに出力する（ステップＳ１５）。
【０１０５】
また、同一の一画面を形成する左眼ｍフレームについても、上記した右眼ｎフレームと同様に、順方向にスキャンする制御が行われる。
【０１０６】
図９Ａは、上記した走査により表示される表示映像の一例を示す図である。図９Ａは、映像表示部２０の１列分の画素部１７について映像表示部２０に表示される映像信号と黒信号の表示時間を示している。同図の縦軸は、画面垂直方向を示し、横軸は時間を示している。すなわち、映像表示部２０の上側の画素部１７から下側の画素部１７に、順に映像信号および黒信号が供給されていることを示している。また、上記した走査により、映像表示部２０に表示される映像は、図９Ａに示すように、映像信号と黒信号が交互に表示される。そして、右眼ｎフレームと左眼ｍフレームで立体映像の一画面が構成されている。また、右眼ｎフレームと右眼ｎ＋１フレームでは、映像信号および黒信号の走査方向が逆になり、同様に、左眼ｍフレームと左眼ｍ＋１フレームでは映像信号および黒信号の走査方向が逆になる。
【０１０７】
次に、電子シャッター付メガネ部１３のシャッターメガネ動作について説明する。ここで、映像同期信号は、Ｌｏｗのときに右眼用、Ｈｉｇｈのときに左眼用の映像信号であることを示す。また、メガネ同期制御部３１から供給されるメガネ制御信号は、Ｈｉｇｈのときにシャッターを開口し、Ｌｏｗのときにシャッターを閉口する信号である。
【０１０８】
図４に示すように、右眼ｎフレームの映像信号Ｖｓｙｎｃが入力されると、表示装置１１から電子シャッター付メガネ部１３にＬｏｗレベルの映像同期信号とＨｉｇｈレベルのメガネ制御信号が供給され、右眼シャッター１３ａが開口、左眼シャッター１３ｂが閉口される制御が行われる。これにより、視聴者は、右眼の映像信号を右眼で認識することが可能となる。また、次の左眼ｍフレームでは、右眼シャッター１３ａは閉口されるが、シャッターの開閉には応答時間があるため、右眼ｎフレーム期間の途中からメガネ制御信号はＬｏｗとなり、右眼シャッター１３ａが閉口されるシャッター切替えが開始される。
【０１０９】
右眼ｎフレームの走査が終了し、続いて左眼ｍフレームの映像信号Ｖｓｙｎｃが入力されると、表示装置１１から電子シャッター付メガネ部１３にＨｉｇｈレベルの映像同期信号とＨｉｇｈレベルのメガネ制御信号が供給され、右眼シャッター１３ａが閉口、左眼シャッター１３ｂが開口される制御が行われる。これにより、視聴者は、左眼の映像信号を左眼で認識することが可能となる。また、左眼ｍフレーム期間の途中からメガネ制御信号はＬｏｗとなり左眼シャッター１３ｂが閉口されるシャッター切替えが開始される。
【０１１０】
左眼ｍフレームの走査が終了し、続いて右眼ｎ＋１フレームの映像信号Ｖｓｙｎｃが入力されると、再び表示装置１１から電子シャッター付メガネ部１３にＬｏｗレベルの映像同期信号とＨｉｇｈレベルのメガネ制御信号が供給され、右眼シャッター１３ａが開口、左眼シャッター１３ｂが閉口される制御が行われる。これにより、視聴者は、右眼の映像信号を右眼で認識することが可能となる。また、右眼ｎ＋１フレーム期間の途中からメガネ制御信号はＬｏｗとなり右眼シャッター１３ａが閉口されるシャッター切替えが開始される。
【０１１１】
右眼ｎ＋１フレームの走査が終了し、続いて左眼ｍ＋１フレームの映像信号Ｖｓｙｎｃが入力されると、表示装置１１から電子シャッター付メガネ部１３にＨｉｇｈレベルの映像同期信号とＨｉｇｈレベルのメガネ制御信号が供給され、右眼シャッター１３ａが閉口され、左眼シャッター１３ｂが開口される制御が行われる。これにより、視聴者は、左眼の映像信号を左眼で認識することが可能となる。また、左眼ｍ＋１フレーム期間の途中からメガネ制御信号はＬｏｗとなり左眼シャッター１３ｂが閉口されるシャッター切替えが開始される。
【０１１２】
図７は、電子シャッター付メガネ部１３のシャッター動作の流れを示すフローチャートである。はじめに、図４における右眼ｎフレームを例として説明する。
【０１１３】
上記したように、表示装置１１においてステップＳ３０、Ｓ３１の動作が行われて、信号処理部２２から映像同期信号とメガネ制御信号を受信したメガネ同期制御部３１は、受信した映像同期信号がＬｏｗかどうかを検出する（ステップＳ３２）。つまり、映像表示部２０に表示される映像が右眼用の映像信号であるかどうかを検出する。そして、映像同期信号がＬｏｗである場合には、さらに、メガネ制御信号がＬｏｗであるかどうか検出する（ステップＳ３３）。
【０１１４】
映像同期信号がＬｏｗであり、かつ、メガネ制御信号がＬｏｗでなければ、右眼シャッター１３ａは開口され、左眼シャッター１３ｂは閉口される。つまり、信号送信部３２は、映像同期信号とメガネ制御信号を信号受信部３５へ送信し（ステップＳ３８）、受信した信号受信部３５は、これらの信号をシャッター切替部３６に供給する（ステップＳ３９）。そして、シャッター切替部３６は、右眼シャッター１３ａを開口し、左眼シャッター１３ｂを閉口する制御を行い（ステップＳ４０）、右眼シャッター１３ａが開口し、左眼シャッター１３ｂが閉口する（ステップＳ４１）。なお、電子シャッター付メガネ部１３のシャッターの開閉は、例えば液晶駆動方式であり、この場合、印加電圧を制御することによりシャッターの開閉が行われる。また、シャッターは液晶駆動方式に限らず、その他の駆動方式のシャッターであってもよい。
【０１１５】
また、映像同期信号がＬｏｗであり、かつ、メガネ制御信号がＬｏｗであれば、右眼シャッター１３ａは閉口され、左眼シャッター１３ｂは閉口される。つまり、信号送信部３２は、映像同期信号とメガネ制御信号を信号受信部３５へ送信し（ステップＳ３４）、受信した信号受信部３５は、これらの信号をシャッター切替部３６に供給する（ステップＳ３５）。そして、シャッター切替部３６は、右眼シャッター１３ａを閉口し、左眼シャッター１３ｂを閉口する制御を行い（ステップＳ３６）、右眼シャッター１３ａが開口し、左眼シャッター１３ｂが閉口する（ステップＳ３７）。
【０１１６】
図９Ｂは、図９Ａに示す表示映像において、電子シャッター付メガネ部１３の右眼シャッター１３ａを開閉したときに、視聴者の右眼で認識される表示映像を示す図である。ここで、網掛け表示をしている期間は、シャッターが閉じ始めてから完全に閉じるまでの期間を示している。電子シャッター付メガネ部１３の上記したような動作により、視聴者は図９Ｂに示すような表示映像を認識する。つまり、右眼ｎフレームと右眼ｎ＋１フレームでは、映像信号および黒信号の走査方向が逆になり、同様に、左眼ｍフレームと左眼ｍ＋１フレームでは映像信号および黒信号の走査方向が逆になる。
【０１１７】
メガネ制御信号は、映像同期信号が開始されてから所定の期間は、右眼シャッター１３ａまたは左眼シャッター１３ｂのいずれかを開口し、所定期間経過後は、シャッターの開閉の応答時間を考慮して、次の映像同期信号が開始される前に、開口していた右眼シャッター１３ａまたは左眼シャッター１３ｂの閉口を開始する制御信号である。よって、図９Ｂに示すように、右眼ｎフレームの途中から右眼シャッター１３ａの閉口が開始されるので、右眼ｎフレームの表示画像の下側の数ラインと右眼ｎ＋１フレームの表示画像の上側の数ラインが、右眼シャッター１３ａにより遮られる。したがって、視聴者には、映像表示部２０の上側と下側のそれぞれ数ラインの映像が暗くなっているように認識される。つまり、映像表示部２０の下側の数ラインが常に暗いと認識される従来技術に比べると、映像表示部２０の上側と下側の数ラインに暗くなる部分が分散されるとともに、暗さの強度が従来技術の１／２程度になる。したがって、視聴者が暗いと感じる輝度ムラは抑制される。
【０１１８】
次に、図４における左眼ｍフレームを例として説明する。
【０１１９】
メガネ制御信号が付加された映像同期信号を受信したメガネ同期制御部３１は、受信した映像同期信号がＬｏｗかどうかを検出する（ステップＳ３２）。つまり、映像表示部２０に表示される映像が右眼用の映像信号であるかどうかを検出する。そして、映像同期信号がＬｏｗでない場合、つまり、映像表示部２０に表示される映像が左眼用の映像信号である場合には、さらに、メガネ制御信号がＬｏｗであるかどうか検出する（ステップＳ４２）。
【０１２０】
映像同期信号がＨｉｇｈであり、かつ、メガネ制御信号がＬｏｗでなければ、左眼シャッター１３ｂは開口され、右眼シャッター１３ａは閉口される。つまり、信号送信部３２は、映像同期信号とメガネ制御信号を信号受信部３５へ送信し（ステップＳ４７）、受信した信号受信部３５は、これらの信号をシャッター切替部３６に供給する（ステップＳ４８）。そして、シャッター切替部３６は、左眼シャッター１３ｂを開口し、右眼シャッター１３ａを閉口する制御を行い（ステップＳ４９）、左眼シャッター１３ｂが開口し、右眼シャッター１３ａが閉口する（ステップＳ５０）。
【０１２１】
また、映像同期信号がＨｉｇｈであり、かつ、メガネ制御信号がＬｏｗであれば、左眼シャッター１３ｂは閉口され、右眼シャッター１３ａは閉口される。つまり、信号送信部３２は、映像同期信号とメガネ制御信号を信号受信部３５に送信し（ステップＳ４３）、受信した信号受信部３５は、これらの信号をシャッター切替部３６に供給する（ステップＳ４４）。そして、シャッター切替部３６は、左眼シャッター１３ｂを閉口し、右眼シャッター１３ａを閉口する制御を行い（ステップＳ４５）、左眼シャッター１３ｂが閉口し、右眼シャッター１３ａが閉口する（ステップＳ４６）。
【０１２２】
図１０は、電子シャッター付メガネ部１３の右眼シャッター１３ａおよび左眼シャッター１３ｂを開閉したときに、視聴者の右眼、左眼および両眼で認識される表示映像をそれぞれ示す図である。ここで、メガネ制御信号は、映像同期信号が開始されてから所定の期間は、右眼シャッター１３ａまたは左眼シャッター１３ｂのいずれかを開にし、所定期間経過後は開にしていた右眼シャッター１３ａまたは左眼シャッター１３ｂを閉にする制御信号である。したがって、図１０の最下図に示すように、映像同期信号の右眼シャッター１３ａから左眼シャッター１３ｂの開閉を切替える間、または、左眼シャッター１３ｂから右眼シャッター１３ａの開閉を切替える間に、シャッターの双方が閉状態となるシャッター遮蔽期間が生じることとなる。
【０１２３】
なお、図５において、ディスプレイ制御信号が３Ｄ信号を含まない場合には、上記したシャッターメガネ動作は行われず（ステップＳ１６）、平面映像を表示するスキャン通常制御が行われる（ステップＳ１７、Ｓ１５）。
【０１２４】
図８は、スキャン通常制御の処理を示すフローチャートである。３Ｄ信号を含まないディスプレイ制御信号を受信した駆動信号制御部２３は、ディスプレイ制御信号が映像信号Ｖｓｙｎｃであるかどうかを検出する（ステップＳ６０）。そして、ディスプレイ制御信号が映像信号Ｖｓｙｎｃであると検出した場合には、駆動信号制御部２３は、映像信号Ｖｓｙｎｃを平面映像としてスキャンする制御を行う（ステップＳ６１）。また、ディスプレイ制御信号が映像信号Ｖｓｙｎｃでないと検出した場合、つまり、黒信号であると検出した場合には、駆動信号制御部２３は、黒信号を平面映像としてスキャンする制御を行う（ステップＳ６２）。これにより、視聴者は、映像信号を平面映像として認識する。
【０１２５】
（実施の形態２）
次に、本発明の実施の形態２にかかる映像表示システムについて説明する。
【０１２６】
本実施の形態が上記した実施の形態１と異なる点は、右眼シャッター１３ａと左眼シャッター１３ｂの双方が閉状態のシャッター遮蔽期間にのみ、黒信号が供給される点である。
【０１２７】
図１１Ａは、本実施の形態にかかる電子シャッター付メガネ部１３の右眼シャッター１３ａおよび左眼シャッター１３ｂを開閉したときに、視聴者の右眼、左眼および両眼で認識される表示映像をそれぞれ示す図である。
【０１２８】
図１１Ａに示すように、シャッターの開閉には応答時間があるため、映像同期信号の右眼シャッター１３ａから左眼シャッター１３ｂの開閉を切替える間、または、左眼シャッター１３ｂから右眼シャッター１３ａの開閉を切替える間には、シャッターの双方を閉状態とするシャッター遮蔽期間が設けられることとなる。そこで、映像表示部２０に、シャッター遮蔽期間までは映像信号を供給し続け、シャッター遮蔽期間に黒信号を挿入することにより、効率よく映像表示部の上側および下側の輝度ムラを抑制することができる。
【０１２９】
図１１Ｂは、図１１Ａからシャッターを除いた表示映像を示す図である。黒信号は、シャッター遮蔽期間のみに映像表示部２０に表示されるので、表示時間を短くする必要がある。したがって、例えば図１０のように、映像表示部２０のゲート線Ｈｙに先頭ラインＨ１から最終ラインＨｙへ順に制御信号を供給すると、黒信号の表示時間が長くなり、シャッター遮蔽期間を超えてしまうこととなる。そこで、図１１Ｂに示すように、例えば、映像表示部２０を４つの画面領域に分割して、シャッター遮蔽期間にはそれぞれの画面領域に同時に黒信号を走査する。なお、本実施の形態で行われるスキャン反転制御を、スキャン反転黒同時スキャン制御と呼ぶこととする。また、上記した映像表示部２０の分割数は、４つに限られず、複数に分割されていればその他の分割数であってもよい。
【０１３０】
図１２は、スキャン反転黒同時スキャン制御の処理を示すフローチャートである。実施の形態１と同様に、映像信号出力部１２から出力された右眼ｎフレームの映像信号Ｖｓｙｎｃは、表示装置１１の信号入力部２１で受信される（ステップＳ７０）。この映像信号Ｖｓｙｎｃには、映像同期信号と、立体映像に関する情報を含んだ３Ｄ信号が付加されている。なお、立体映像でない場合には、映像信号Ｖｓｙｎｃに３Ｄ信号は付加されていない。そして、映像信号Ｖｓｙｎｃを受信した信号入力部２１から信号処理部２２に、映像信号Ｖｓｙｎｃが供給される。
【０１３１】
信号処理部２２は、供給された映像信号Ｖｓｙｎｃを解析して（ステップＳ７１）、映像信号Ｖｓｙｎｃから映像同期信号、３Ｄ信号を分離する。そして、映像信号Ｖｓｙｎｃに３Ｄ信号が付加されているかどうかを検出し（ステップＳ７２）、映像信号を立体表示または平面表示するための制御信号であるディスプレイ制御信号を生成し、駆動信号制御部２３に出力する。なお、ディスプレイ制御信号には、上記した走査信号と、映像信号Ｖｓｙｎｃまたは黒信号が含まれる。ここで、映像信号Ｖｓｙｎｃに３Ｄ信号が付加されている場合には、信号処理部２２は、さらに、映像信号Ｖｓｙｎｃから第１フレームの画像情報と第２フレームの画像情報を分離している。
【０１３２】
また、映像信号Ｖｓｙｎｃに３Ｄ信号が付加されている場合には、信号処理部２２は、第１フレームと第２フレームとの切替えタイミングを示す映像同期信号を生成し、信号処理部２２から信号送信部２４を介して電子シャッター付メガネ部１３へ出力する。そして、実施の形態１と同様に、映像同期信号を受信した電子シャッター付メガネ部１３では、シャッターメガネ動作が行われる（ステップＳ７３）。
【０１３３】
そして、駆動信号制御部２３では、ディスプレイ制御信号により、スキャン反転制御が行われる（ステップＳ７４）。
【０１３４】
図１３は、スキャン反転黒同時スキャン制御の処理を示すフローチャートである。ここでは、図１１Ｂの右眼ｎ＋１フレームを例として説明する。ディスプレイ制御信号を受信した駆動信号制御部２３は、前フレームである左眼ｍフレームが、順方向、つまり、映像表示部２０の上側の先頭ラインＨ１から下側の最終ラインＨｙに向けてスキャンされたかどうかを検出する（ステップＳ８０）。そして、左眼ｍフレームが順方向にスキャンされたと検出した場合には、さらに、ディスプレイ制御信号が映像信号Ｖｓｙｎｃであるかどうかを検出する（ステップＳ８１）。
【０１３５】
そして、駆動信号制御部２３は、ディスプレイ制御信号が映像信号Ｖｓｙｎｃであると検出した場合には、映像信号Ｖｓｙｎｃを逆方向にスキャンする制御を行う（ステップＳ８２）。つまり、左眼ｍフレームと逆方向で、映像表示部２０の下側の最終ラインＨｙから上側の先頭ラインＨ１に向けて、左眼ｍフレームの映像信号Ｖｓｙｎｃがスキャンされた速度と同じ速度でスキャンをするように、スキャン信号転送部２５に走査信号を供給する。これにより、スキャン信号転送部２５は、ゲート線Ｈｙを介して映像表示部２０に走査信号を出力する。また、データ信号転送部２６は、下側の最終ラインＨｙから上側の先頭ラインＨ１の順に、対応する各ラインの映像信号Ｖｓｙｎｃをデータ線Ｖｘのそれぞれに出力する（ステップＳ７５）。
【０１３６】
また、駆動信号制御部２３は、ディスプレイ制御信号が映像信号Ｖｓｙｎｃでないと検出した場合、つまり、黒信号であると検出した場合には、黒信号を逆方向にスキャンする制御を行う（ステップＳ８３）。つまり、シャッター遮蔽期間に合わせて、上記したように、４つの画面領域の各最終ラインから各先頭ラインの方向に同時にスキャンをするように、スキャン信号転送部２５に走査信号を供給する。これにより、スキャン信号転送部２５は、各画面領域の最終ラインから先頭ラインの方向に、各ゲート線Ｈｙを介して映像表示部２０に順に走査信号を出力する。また、データ信号転送部２６は、各画面領域の下側の最終ラインから上側の先頭ラインの順に、黒信号をデータ線Ｖｘのそれぞれに出力する（ステップＳ７５）。なお、左眼ｍフレームに対応する最終ラインＨｙの映像信号Ｖｓｙｎｃを供給し終わってから右眼ｎ＋１フレームに対応する最終ラインＨｙの映像信号Ｖｓｙｎｃを供給し始めるまでの間の時間間隔がない場合には、最終ラインＨｙには黒信号を供給せず、左眼ｍフレームの映像信号Ｖｓｙｎｃに続けて右眼ｎ＋１フレームの映像信号Ｖｓｙｎｃを供給する。
【０１３７】
また、同一の一画面を形成する左眼ｍ＋１フレームについても、上記した右眼ｎ＋１フレームと同様に、逆方向にスキャンする制御が行われる。
【０１３８】
次に、図１１Ｂの右眼ｎフレームを例に説明する。ディスプレイ制御信号を受信した駆動信号制御部２３は、前フレームである左眼ｍ−１フレームが、順方向にスキャンされたかどうかを検出する（ステップＳ８０）。そして、左眼ｍ−１フレームが順方向にスキャンされていないと検出した場合には、さらに、ディスプレイ制御信号が映像信号Ｖｓｙｎｃであるかどうかを検出する（ステップＳ８４）。
【０１３９】
そして、駆動信号制御部２３は、ディスプレイ制御信号が映像信号Ｖｓｙｎｃであると検出した場合には、映像信号Ｖｓｙｎｃを順方向にスキャンする制御を行う（ステップＳ８５）。つまり、映像表示部２０の上側の先頭ラインＨ１から下側の最終ラインＨｙに向けてスキャンをするように、スキャン信号転送部２５に走査信号を供給する。これにより、スキャン信号転送部２５は、ゲート線Ｈｙを介して映像表示部２０に走査信号を出力する。また、データ信号転送部２６は、上側の先頭ラインＨ１から下側の最終ラインＨｙの順に、対応する各ラインの映像信号Ｖｓｙｎｃをデータ線Ｖｘのそれぞれに出力する（ステップＳ７５）。
【０１４０】
また、駆動信号制御部２３は、ディスプレイ制御信号が映像信号Ｖｓｙｎｃでないと検出した場合、つまり、黒信号であると検出した場合には、黒信号を順方向にスキャンする制御を行う（ステップＳ８６）。つまり、シャッター遮蔽期間に合わせて、上記したように、４つの画面領域の各先頭ラインから各最終ラインの方向に、同時にスキャンをするように、スキャン信号転送部２５に走査信号を供給する。これにより、スキャン信号転送部２５は、各画面領域の先頭ラインから最終ラインの方向に、各ゲート線Ｈｙを介して映像表示部２０に順に走査信号を出力する。また、データ信号転送部２６は、各画面領域の上側の先頭ラインから下側の最終ラインの順に、黒信号をデータ線Ｖｘのそれぞれに出力する（ステップＳ７５）。
【０１４１】
また、同一の一画面を形成する左眼ｍフレームについても、上記した右眼ｎフレームと同様に、順方向にスキャンする制御が行われる。
【０１４２】
なお、電子シャッター付メガネ部１３のシャッターメガネ動作、スキャン通常動作については、上記した実施の形態１と同様であるため説明を省略する。
【０１４３】
上記した走査により、映像表示部２０に表示される映像は、図１１Ｂに示すように、各フレームにおいて、シャッター遮蔽期間までは映像信号が表示され、シャッター遮蔽期間は黒信号が表示される。また、右眼ｎフレームと右眼ｎ＋１フレームでは、映像信号および黒信号の走査方向が逆になり、同様に、左眼ｍフレームと左眼ｍ＋１フレームでは映像信号および黒信号の走査方向が逆になる。
【０１４４】
このような構成により、黒信号を供給する時間を短縮して、短縮した時間を、映像信号を発光させる時間に使用するので、映像表示部２０をより長時間発光させることができる。その結果、映像表示部２０の全体の輝度を向上することができ、映像表示部２０の上側および下側に発生する輝度ムラを抑制することができる。なお、ディスプレイ制御信号が３Ｄ信号を含まない場合には、上記したシャッターメガネ動作は行われず（ステップＳ７６）、平面映像を表示するスキャン通常制御が行われる（ステップＳ７７、Ｓ７５）。
【０１４５】
図１４は、従来技術、実施の形態１および実施の形態２における表示映像の輝度を示す図であり、同図（ａ）は従来技術、同図（ｂ）は実施の形態１、同図（ｃ）は実施の形態２における表示映像の輝度をそれぞれ示している。ここで、縦軸は画面垂直方向を示し、横軸は光量を示している。横軸の光量は、矢印に沿って左方向にいくほど輝度が高いことを示している。図１４において、右眼ｎフレームと左眼ｍフレームとからなる第１の一画面と、右眼ｎ＋１フレームと左眼ｍ＋１フレームとからなる第２の一画面を合わせた光量を比較すると、同図（ａ）に示すように、従来技術における表示映像の輝度は、映像表示部２０の下側の映像のみ輝度が低くなる。また、同図（ｂ）に示すように、実施の形態１における表示映像の輝度は、映像表示部２０の上側および下側の輝度が均一に低くなる。このときの輝度は、同図（ａ）に示す従来技術における表示映像の輝度に比べると、暗さの強度がほぼ１／２に抑制される。さらに、同図（ｃ）に示すように、実施の形態２における表示映像の輝度は、映像表示部２０の全体にわたって、同図（ａ）に示す従来技術および同図（ｂ）に示す実施の形態１における表示映像の輝度よりも高くなる。したがって、映像表示部２０の上側および下側の輝度ムラは、より抑制される。
【０１４６】
（変形例）
次に、本発明の変形例にかかる映像表示システムについて説明する。
【０１４７】
本変形例が上記した実施の形態１と異なる点は、本変形例にかかる映像表示部５０を、映像表示部５０の上下方向に複数の画面領域に分割し、表示装置４１の駆動信号制御部５３が、分割された画面領域に対応する映像信号を供給する点である。
【０１４８】
図１５Ａおよび図１５Ｂは、本変形例における表示映像の例を示す図である。また、図１６は、本変形例にかかる表示装置４１の構成を示すブロック図である。
【０１４９】
図１５Ａに示すように、本変形例では、駆動信号制御部５３は、同一フレームについて、映像表示部５０に表示される画面領域を上下２つの画面領域に分割して制御する。つまり、同一フレームの上下２つの各画面領域に対応する映像信号を同時に同一のライン方向に供給する。ここで、ライン方向とは、ゲート線Ｈｙの先頭ラインから最終ライン、または、最終ラインから先頭ラインの方向のことをいう。
【０１５０】
このような制御を行うための表示装置４１の構成について説明する。
【０１５１】
図１６は、本変形例にかかる表示装置４１の構成を示すブロック図である。図１６に示すように、表示装置４１は、映像表示部５０と、信号入力部５１と、信号処理部５２と、駆動信号制御部５３と、信号送信部５４と、スキャン信号転送部５５と、データ信号転送部５６、５７とを備えている。なお、映像表示部５０、信号入力部５１、信号処理部５２、駆動信号制御部５３、スキャン信号転送部５５、データ信号転送部５６、５７が、それぞれ本発明における表示部、入力部、信号処理部、第１制御部、走査線駆動回路、データ線駆動回路に相当する。
【０１５２】
映像表示部５０は、上側の画面領域である第１画面領域５０ａと、下側の画面領域である第２画面領域５０ｂとを備えている。第１画面領域５０ａには、ゲート線Ｈ１からＨａにより走査信号が供給され、第２画面領域５０ｂには、ゲート線Ｈａ＋１からＨｙにより走査信号が供給される。
【０１５３】
駆動信号制御部５３は、スキャン信号転送部５５に、信号処理部５２から入力された第１フレームと第２フレームの映像信号に対応してスキャン信号転送部５５を駆動するための走査信号を生成する。このとき、同一フレームにおける第１画面領域５０ａと第２画面領域５０ｂにおいて、同時に同一の方向に走査するように走査信号を生成し、スキャン信号転送部５５に供給する。
【０１５４】
例えば、図１５Ａに示す右眼ｎフレームに対応する映像信号を映像表示部５０に表示するときには、第１画面領域５０ａと第２画面領域５０ｂのそれぞれに対応する映像信号を、映像表示部５０の先頭ラインから最終ラインの方向へそれぞれ走査する走査信号を供給する。
【０１５５】
また、スキャン信号転送部５５は、ゲート線Ｈ１からＨａに第１画面領域５０ａを駆動する走査信号を供給し、ゲート線Ｈａ＋１からＨｙに第２画面領域５０ｂを駆動する走査信号を出力する。具体的には、スキャン信号転送部５５は、第１画面領域５０ａの先頭ラインＨ１と、第２画面領域５０ｂの先頭ラインＨａ＋１の計２本のゲート線に同時に走査信号を出力し、同様に、第１画面領域５０ａの最終ラインＨａと第２画面領域５０ｂの最終ラインＨｙまで順に同時に走査信号を出力する。
【０１５６】
駆動信号制御部５３は、信号処理部５２から入力された同一フレームの映像信号のうち、第１画面領域５０ａに対応する映像信号をデータ信号転送部５６に、第２画面領域５０ｂに対応する映像信号をデータ信号転送部５７に供給する。データ信号転送部５６は、第１画面領域５０ａの先頭ラインＨ１から最終ラインＨａの順に、走査信号が供給される各ラインの映像信号Ｖｓｙｎｃを、データ線Ｖｘのそれぞれに供給する。同様に、データ信号転送部５７は、第２画面領域５０ｂの先頭ラインＨａから最終ラインＨｙの順に、走査信号が供給される各ラインの映像信号Ｖｓｙｎｃを、データ線Ｖｘのそれぞれに供給する。
【０１５７】
また、左眼ｍフレームについても同様の制御が行われる。
【０１５８】
さらに、図１５Ａに示す右眼ｎ＋１フレームに対応する映像信号を映像表示部５０に表示するときには、第１画面領域５０ａと第２画面領域５０ｂのそれぞれに対応する映像信号を、映像表示部５０の最終ラインから先頭ラインの方向へそれぞれ走査する走査信号を供給する。
【０１５９】
また、スキャン信号転送部５５は、ゲート線ＨａからＨ１に第１画面領域５０ａを駆動する走査信号を供給し、ゲート線ＨｙからＨａ＋１に第２画面領域５０ｂを駆動する走査信号を出力する。具体的には、スキャン信号転送部５５は、第１画面領域５０ａの最終ラインＨａと、第２画面領域５０ｂの最終ラインＨｙの計２本のゲート線に同時に走査信号を出力し、同様に、第１画面領域５０ａの先頭ラインＨ１と第２画面領域５０ｂの先頭ラインＨａ＋１まで順に同時に走査信号を出力する。
【０１６０】
駆動信号制御部５３は、信号処理部５２から入力された同一フレームの映像信号のうち、第１画面領域５０ａに対応する映像信号をデータ信号転送部５６に、第２画面領域５０ｂに対応する映像信号をデータ信号転送部５７に供給する。データ信号転送部５６は、第１画面領域５０ａの最終ラインＨａから先頭ラインＨ１の順に、走査信号が供給される各ラインの映像信号Ｖｓｙｎｃを、データ線Ｖｘのそれぞれに供給する。同様に、データ信号転送部５７は、第２画面領域５０ｂの最終ラインＨｙから先頭ラインＨａの順に、走査信号が供給される各ラインの映像信号Ｖｓｙｎｃを、データ線Ｖｘのそれぞれに供給する。
【０１６１】
また、左眼ｍ＋１フレームについても同様の制御が行われる。
【０１６２】
このような構成により、映像表示部５０の上側および下側で発生する輝度ムラを抑制することができるとともに、同一フレームについて、第１画面領域５０ａおよび第２画面領域５０ｂごとに各画面領域に対応する映像信号が同時に供給されるので、画面領域を複数に分割せずに映像信号を供給させる場合に比べて、映像信号の供給時間を大幅に短縮できる。
【０１６３】
また、図１５Ｂは、本変形例における表示映像の他の例を示す図である。同図に示すように、駆動信号制御部５３は、同一フレームの第１画面領域５０ａおよび第２画面領域５０ｂに表示される映像信号を、逆のライン方向に同時にスキャンする走査信号を生成し、スキャン信号転送部５５に供給してもよい。
【０１６４】
例えば、図１５Ｂに示す右眼ｎフレームに対応する映像信号を映像表示部５０に表示するときには、駆動信号制御部５３から走査信号を供給されたスキャン信号転送部５５は、第１画面領域５０ａの先頭ラインＨ１と、第２画面領域５０ｂの最終ラインＨｙの計２本のゲート線に同時に走査信号を出力し、同様に、第１画面領域５０ａの最終ラインＨａと第２画面領域５０ｂの先頭ラインＨａ＋１まで順に同時に走査信号を出力する。
【０１６５】
このとき、駆動信号制御部５３は、信号処理部５２から入力された同一フレームの映像信号のうち、第１画面領域５０ａに対応する映像信号をデータ信号転送部５６に、第２画面領域５０ｂに対応する映像信号をデータ信号転送部５７に供給する。データ信号転送部５６は、第１画面領域５０ａの先頭ラインＨ１から最終ラインＨａの順に、走査信号が供給される各ラインの映像信号Ｖｓｙｎｃをデータ線Ｖｘのそれぞれに供給する。同様に、データ信号転送部５７は、第２画面領域５０ｂの最終ラインＨｙから先頭ラインＨａ＋１の順に、走査信号が供給される各ラインの映像信号Ｖｓｙｎｃをデータ線Ｖｘのそれぞれに供給する。
【０１６６】
また、左眼ｍフレームについても同様の制御が行われる。
【０１６７】
また、右眼ｎ＋１フレームに対応する映像信号を映像表示部５０に表示するときには、駆動信号制御部５３から走査信号を供給されたスキャン信号転送部５５は、第１画面領域５０ａの最終ラインＨａと、第２画面領域５０ｂの先頭ラインＨａ＋１の計２本のゲート線に同時に走査信号を出力し、同様に、第１画面領域５０ａの先頭ラインＨ１と第２画面領域５０ｂの最終ラインＨｙまで順に同時に走査信号を出力する。
【０１６８】
このとき、駆動信号制御部５３は、信号処理部５２から入力された同一フレームの映像信号のうち、第１画面領域５０ａに対応する映像信号をデータ信号転送部５６に、第２画面領域５０ｂに対応する映像信号をデータ信号転送部５７に供給する。データ信号転送部５６は、第１画面領域５０ａの最終ラインＨａから先頭ラインＨ１の順に、走査信号が供給される各ラインの映像信号Ｖｓｙｎｃをデータ線Ｖｘのそれぞれに供給する。同様に、データ信号転送部５７は、第２画面領域５０ｂの先頭ラインＨａ＋１から最終ラインＨｙの順に、走査信号が供給される各ラインの映像信号Ｖｓｙｎｃをデータ線Ｖｘのそれぞれに供給する。
【０１６９】
また、左眼ｍ＋１フレームについても同様の制御が行われる。
【０１７０】
このような構成により、映像表示部５０の上側および下側で発生する輝度ムラを抑制することができるとともに、同一フレームについて、第１画面領域５０ａおよび第２画面領域５０ｂごとに各画面領域に対応する映像信号が同時に供給されるので、画面領域を複数に分割せずに映像信号を供給させる場合に比べて、映像信号の供給時間を大幅に短縮できる。
【０１７１】
なお、本変形例では、映像表示部５０を第１画面領域５０ａと第２画面領域５０ｂの２つに分割したが、さらに多くの画面領域に分割してもよい。
【０１７２】
なお、本発明は、上記した実施の形態に限定されるものではなく、本発明の要旨を逸脱しない範囲内で種々の改良、変形を行ってもよい。
【０１７３】
例えば、電子シャッター付メガネ部のエミッタは、電子シャッター付メガネ部の本体に外付けとする構成であってもよい。また、エミッタが表示装置に内蔵されていてもよい。また、外付けされたエミッタは、電子シャッター付メガネ部に有線接続されなくても、例えば赤外線などによって、エミッタと電子シャッター付メガネ部の間で信号の送受信が行われる構成であってもよい。
【０１７４】
また、上記した実施の形態では、スキャン反転黒同時スキャン制御において、映像表示部を４つの画面領域に分割して、シャッター遮蔽期間にそれぞれの画面領域ごとに黒信号を走査したが、画面表示部の分割数は４つに限られず、複数に分割されていればその他の分割数であってもよい。
【０１７５】
また、上記した実施の形態では、映像表示部を第１画面領域と第２画面領域の２つに分割したが、さらに多くの画面領域に分割してもよい。
【０１７６】
また、実施の形態２においても、上記したように、映像表示部を複数の画面領域に分割して制御してもよい。
【０１７７】
また、上記した実施の形態では、有機ＥＬフラットパネルディスプレイを備えた映像表示システムを例として説明したが、本発明は、有機ＥＬフラットパネルディスプレイに限らず、液晶ディスプレイやその他の方式の表示装置を備えた映像表示システムに用いてもよい。
【０１７８】
また、電子シャッター付メガネ部のシャッターは、液晶駆動方式に限らず、その他の駆動方式のシャッターであってもよい。
【０１７９】
また、本発明の趣旨を逸脱しない限り、当業者が思いつく各種変形を本実施の形態に施したものや、異なる実施の形態における構成要素を組み合わせて構築される形態も、本発明の範囲内に含まれる。
【産業上の利用可能性】
【０１８０】
本発明にかかる映像表示システム、映像表示方法および表示装置は、立体映像の表示に用いるディスプレイに利用可能であり、特に、ホールド型駆動の有機ＥＬフラットパネルディスプレイに有用である。
【符号の説明】
【０１８１】
１    映像表示システム
１１、４１    表示装置
１３    電子シャッター付メガネ部
１３ａ    右眼シャッター（シャッター）
１３ｂ    左眼シャッター（シャッター）
１５    発光素子
１６    駆動素子
１７    画素部
２０、５０    映像表示部（表示部）
２１、５１    信号入力部（入力部）
２２、５２    信号処理部
２３、５３    駆動信号制御部（第１制御部）
２４、３２、５４    信号送信部（第１通信部）
２５、５５    スキャン信号転送部（走査線駆動回路）
２６、５６、５７    データ信号転送部（データ線駆動回路）
３１    メガネ同期制御部（第２通信部、第２制御部）
３５    信号受信部（第２通信部）
３６    シャッター切替部（第２制御部）
５０ａ    第１画面領域（画面領域）
５０ｂ    第２画面領域（画面領域）
Ｖｓｙｎｃ    映像信号
【図１】
2011048622.tif 000003
【図２Ａ】
2011048622.tif 000004
【図２Ｂ】
2011048622.tif 000005
【図３】
2011048622.tif 000006
【図４】
2011048622.tif 000007
【図５】
2011048622.tif 000008
【図６】
2011048622.tif 000009
【図７】
2011048622.tif 000010
【図８】
2011048622.tif 000011
【図９Ａ】
2011048622.tif 000012
【図９Ｂ】
2011048622.tif 000013
【図１０】
2011048622.tif 000014
【図１１Ａ】
2011048622.tif 000015
【図１１Ｂ】
2011048622.tif 000016
【図１２】
2011048622.tif 000017
【図１３】
2011048622.tif 000018
【図１４】
2011048622.tif 000019
【図１５Ａ】
2011048622.tif 000020
【図１５Ｂ】
2011048622.tif 000021
【図１６】
2011048622.tif 000022
【図１７】
2011048622.tif 000023
【図１８】
2011048622.tif 000024
【図１９】
2011048622.tif 000025
【図２０】
2011048622.tif 000026
【手続補正書】
【提出日】平成22年6月1日(2010.6.1)
【手続補正１】
【補正対象書類名】明細書
【補正対象項目名】全文
【補正方法】変更
【補正の内容】
【発明の詳細な説明】
【技術分野】
【０００１】
本発明は、立体映像の表示に適するように構成された映像表示システム、映像表示方法および表示装置に関する。
【背景技術】
【０００２】
従来、立体映像を表示させるために各種の方式が検討されている。その一例として、立体映像を視認するための視差に対応した一方の眼用の画像情報および他方の眼用の画像情報を表示装置に交互に表示し、電子シャッター付メガネのシャッターを切替えることにより立体映像を生成する方式がある（例えば、特許文献１参照）。
【０００３】
この方式では、立体映像の一画面の映像信号は、前記一方の眼用の画像情報が設定された第１フレームと他方の眼用の画像情報が設定された第２フレームとに分離される。そして、画素部に次の書き換え信号が入力されるまで前の画像の輝度が保持されるホールド型の表示方法により、第１フレームの画像情報と第２フレームの画像情報が交互に表示部に表示される。視聴者は、第１フレームおよび第２フレームに同期して左右のシャッターの開閉を行う電子シャッター付メガネを介して一画面分の立体映像を認識できる。
【０００４】
具体的には、図１７に示す。同図は、映像表示部の１列分の画素部について、映像表示部に表示される映像信号の表示時間を示している。同図の縦軸は、画面垂直方向を示し、横軸は時間を示している。すなわち、映像表示部の上側の画素部から下側の画素部に、順に映像信号が供給されていることを示している。そして、第１フレームと第２フレームで立体映像の一画面が構成されている。同図に示すように右眼用の画像情報が設定された第１フレームが表示されるときには、電子シャッター付メガネの左眼シャッターが閉じて右眼用の画像情報を認識し、左眼用の画像情報が設定された第２フレームでは右眼シャッターが閉じて左眼用の画像情報を認識する。これによって、視聴者は、立体映像を認識することができる。
【０００５】
また、図１８に示すように、第１フレームの映像信号の表示期間と第２フレームの映像信号の表示期間との間に黒表示期間を設けることで、視聴者が第１フレームの映像と第２フレームの映像を混同して認識しないように構成されている。
【先行技術文献】
【特許文献】
【０００６】
【特許文献１】特開２０００−３６９６９号公報
【発明の概要】
【発明が解決しようとする課題】
【０００７】
しかし、上記従来の技術では、以下のような問題が生じていた。
【０００８】
即ち、上記したような電子シャッター付メガネのシャッターには、シャッターの切替えが開始してから実際にシャッターの切替えが完了するまでに応答時間が存在する。そのため、シャッターの開閉の切替えは、各フレームで映像が終了する時点ではなく、映像の途中で行う必要がある。つまり、図１９に示すように、右眼用の画像情報が設定された第１フレームが表示されている途中で、次の左眼用の画像情報が設定された第２フレームに同期する右眼シャッターの閉口が開始されることとなる。その結果、各フレームにおいて一画面に対応する映像信号が映像表示部の上側の先頭ラインから映像表示部の下側の最終ラインまで供給されると、当該フレームの最終ライン付近では、映像の途中でシャッターが閉じ始め、映像表示部の下側の数ラインは映像表示部の上側に比べて視聴者により映像が認識される時間が短くなり、視聴者には映像表示部の下側の数ラインの映像が暗くなっているように認識される。このように、シャッターの切替えの応答時間により、映像表示部の上側および下側で輝度ムラが発生するという問題があった。
【０００９】
また、図２０に示すように、電子シャッター付メガネのシャッターが完全に開いている期間に合わせて映像信号の表示される期間を短くすると、全ラインにおいて映像が表示される時間が短くなるため、画面全体が暗くなるという問題があった。
【００１０】
本発明は、上記問題点に鑑み、画面の上側および下側で発生する輝度ムラを抑制する映像表示システム、映像表示方法および表示装置を提供することを目的とする。
【課題を解決するための手段】
【００１１】
上記課題を解決するために、本発明の一形態にかかる映像表示システムは、表示装置と電子シャッター付メガネ部とを含む映像表示システムであって、表示装置は、画素部をライン単位で複数配置した表示部と、画素部を駆動する走査信号を各画素部に供給する走査線駆動回路と、映像信号を表示部に配置された各画素部に供給するデータ線駆動回路と、立体映像の一画面の一方の眼用の画像情報が設定された第１フレームと一画面と同一画面の他方の眼用の画像情報が設定された第２フレームとから一画面の立体画像を構成する映像信号を、データ線駆動回路に供給する第１制御部と、一画面の第１フレームと第２フレームとの切替えタイミングを示す映像同期信号を電子シャッター付メガネ部へ送信する第１通信部とを具備し、第１制御部は、さらに、走査線駆動回路に、第１の一画面に対応する映像信号を表示部の先頭ラインから最終ラインへ供給させ、第１の一画面に後続する第２の一画面に対応する映像信号を表示部の最終ラインから先頭ラインへ供給させ、電子シャッター付メガネ部は、一方の眼用のシャッターと、他方の眼用のシャッターと、映像同期信号を受信する第２通信部と、映像同期信号に応じて一方の眼用のシャッターまたは他方の眼用のシャッターの開閉を制御する第２制御部とを具備し、第２制御部は、一方の眼用のシャッターおよび他方の眼用のシャッターの開閉を切替えるときに、一方の眼用のシャッターおよび他方の眼用のシャッターの双方を閉状態とするシャッター遮蔽期間を設けるように、一方の眼用のシャッターおよび他方の眼用のシャッターを制御することを特徴とする。
【発明の効果】
【００１２】
本発明にかかる映像表示システム、映像表示方法および表示装置によれば、映像表示部の上側および下側で発生する輝度ムラを抑制することができる。
【図面の簡単な説明】
【００１３】
【図１】図１は、本発明の実施の形態１にかかる映像表示システムの構成を示すブロック図である。
【図２Ａ】図２Ａは、図１における表示装置の構成を示すブロック図である。
【図２Ｂ】図２Ｂは、図２Ａにおける画素部の構成を示す回路図である。
【図３】図３は、図１における電子シャッター付メガネ部の構成を示すブロック図である。
【図４】図４は、図１に示す映像表示システムの駆動タイミングを示すタイミングチャートである。
【図５】図５は、図１に示す映像表示システムの動作を示すフローチャートである。
【図６】図６は、図５におけるスキャン反転単純制御の処理を示すフローチャートである。
【図７】図７は、図５における電子シャッター付メガネ部の動作を示すフローチャートである。
【図８】図８は、図５におけるスキャン通常制御の処理を示すフローチャートである。
【図９Ａ】図９Ａは、表示映像の一例を示す図である。
【図９Ｂ】図９Ｂは、図９Ａに示す表示映像において、電子シャッター付メガネ部の右眼シャッターを開閉したときに視聴者の右眼で認識される表示映像を示す図である。
【図１０】図１０は、実施の形態１において電子シャッター付メガネ部のシャッターを開閉したときの表示映像を示す図である。
【図１１Ａ】図１１Ａは、本発明の実施の形態２にかかる映像表示システムにおいて、電子シャッター付メガネ部のシャッターを開閉したときの表示映像を示す図である。
【図１１Ｂ】図１１Ｂは、図１１Ａに示す表示映像を示す図である。
【図１２】図１２は、実施の形態２における映像表示システムの動作を示すフローチャートである。
【図１３】図１３は、図１２におけるスキャン反転黒同時スキャン制御の処理を示すフローチャートである。
【図１４】図１４（ａ）〜（ｃ）は、表示映像の輝度を示す図であり、（ａ）は従来技術、（ｂ）は実施の形態１、（ｃ）は実施の形態２における表示画面の輝度を示す。
【図１５Ａ】図１５Ａは、変形例における表示映像の一例を示す図である。
【図１５Ｂ】図１５Ｂは、変形例における表示映像の他の例を示す図である。
【図１６】図１６は、変形例にかかる表示装置の構成を示すブロック図である。
【図１７】図１７は、従来の表示映像の一例を示す図である。
【図１８】図１８は、従来の表示映像の一例を示す図である。
【図１９】図１９は、従来の表示映像の一例を示す図である。
【図２０】図２０は、従来の表示映像の一例を示す図である。
【発明を実施するための形態】
【００１４】
請求項１に記載の態様の映像表示システムは、表示装置と電子シャッター付メガネ部とを含む映像表示システムであって、前記表示装置は、画素部をライン単位で複数配置した表示部と、前記画素部を駆動する走査信号を各画素部に供給する走査線駆動回路と、映像信号を前記表示部に配置された各画素部に供給するデータ線駆動回路と、立体映像の一画面の一方の眼用の画像情報が設定された第１フレームと前記一画面と同一画面の他方の眼用の画像情報が設定された第２フレームとから前記一画面の立体画像を構成する映像信号を、前記データ線駆動回路に供給する第１制御部と、前記一画面の第１フレームと第２フレームとの切替えタイミングを示す映像同期信号を前記電子シャッター付メガネ部へ送信する第１通信部と、を具備し、前記第１制御部は、さらに、前記走査線駆動回路に、第１の一画面に対応する映像信号を前記表示部の先頭ラインから最終ラインへ供給させ、前記第１の一画面に後続する第２の一画面に対応する映像信号を前記表示部の最終ラインから先頭ラインへ供給させ、前記電子シャッター付メガネ部は、一方の眼用のシャッターと、他方の眼用のシャッターと、前記映像同期信号を受信する第２通信部と、前記映像同期信号に応じて前記一方の眼用のシャッターまたは前記他方の眼用のシャッターの開閉を制御する第２制御部と、を具備し、前記第２制御部は、前記一方の眼用のシャッターおよび前記他方の眼用のシャッターの開閉を切替えるときに、前記一方の眼用のシャッターおよび前記他方の眼用のシャッターの双方を閉状態とするシャッター遮蔽期間を設けるように、前記一方の眼用のシャッターおよび前記他方の眼用のシャッターを制御するものである。
【００１５】
本態様によると、第２の一画面において、表示部の下側では映像の途中でシャッターが閉じることなく輝度が明るくなるので、第１の一画面と第２の一画面の２画面分での輝度が画面内で均一になる。その結果、表示部の上側および下側における輝度ムラが改善でき、映像の表示品質を向上することができる。
【００１６】
また、例えば、スキャンの順序を反転させるための配線を第１制御部と走査線駆動回路との間に設けるだけでスキャンの順序を反転させることができるので、複雑な制御や回路を必要とせず、簡易な構成で表示部の上側および下側における輝度のムラを改善できる。
【００１７】
請求項２に記載の態様の映像表示システムは、請求項１記載の映像表示システムにおいて、前記第１制御部は、前記走査線駆動回路に、第１の一画面の第１フレームに対応する映像信号を前記表示部の先頭ラインから最終ラインへ供給させた後、前記走査線駆動回路に、前記第１の一画面の第１フレームに後続する第１の一画面の第２フレームに対応する映像信号を前記表示部の先頭ラインから最終ラインへ供給させるまでの間、前記第１の一画面の第１フレームに対応する黒信号を前記表示部の先頭ラインから最終ラインに供給させるものである。
【００１８】
本態様によると、第１の一画面の第１フレームに対応する映像が表示部に表示された後、第１の一画面の第２フレームに対応する映像が表示部に表示されるまで、表示部が黒く表示される。そのため、第１の一画面の第２フレームに対応する映像が表示部に表示される際に、第１の一画面の第１フレームに対応する映像が視聴者の視覚に残像として混ざるのを防止できる。その結果、連続して表示される映像同士でクロストークが発生するのを防止でき、映像の表示品質を向上することができる。
【００１９】
請求項３に記載の態様の映像表示システムは、請求項２記載の映像表示システムにおいて、前記第１制御部は、前記第１の一画面の第１フレームに対応する黒信号を前記表示部の先頭ラインから最終ラインに供給させる際、前記シャッター遮蔽期間までは、前記第１の一画面の第１フレームに対応する黒信号を挿入せずに前記第１の一画面の第１フレームに対応する映像信号を供給し続けるものである。
【００２０】
本態様によると、シャッター遮蔽期間までは黒信号を挿入する代わりに画素部を発光させるので、まだシャッターが閉じていない期間に供給される無駄な黒信号を挿入する時間を発光時間に使うことができる。その結果、画面の輝度を上げることができ、映像の表示品質を向上することができる。
【００２１】
また、本態様により、第１の一画面の第１フレームと第２の一画面の第１フレームとで、信号の供給量を均一にできる。そのため、第１の一画面の第１フレームと第２の一画面の第１フレームとで輝度を上げるとともに輝度を均一にすることができる。
【００２２】
請求項４に記載の態様の映像表示システムは、請求項３記載の映像表示装置システムにおいて、前記第１制御部は、前記シャッター遮蔽期間に、前記第１の一画面の第１フレームに対応する黒信号を挿入しなかったラインについては、前記第１の一画面の第１フレームに対応する黒信号を同時に供給させるものである。
【００２３】
本態様によると、黒信号を先頭ラインから順次供給する場合に比べて、黒信号を供給する時間を短縮できる。そのため、この短縮できた時間を、画素部を発光させる時間に使用することができ、画素部をより長時間発光させることができる。その結果、表示部の輝度を上げることができる。
【００２４】
請求項５に記載の態様の映像表示システムは、請求項１記載の映像表示システムにおいて、前記第１制御部は、前記走査線駆動回路に、前記第１の一画面の第２フレームに対応する映像信号を前記表示部の先頭ラインから最終ラインへ供給させた後、前記走査線駆動回路に、前記第１の一画面の第２フレームに対応する映像信号を供給させた速度と同じ速度で前記第２の一画面の第１フレームに対応する映像信号を前記表示部の最終ラインから先頭ラインへ供給させるものである。
【００２５】
本態様によると、第１の一画面の第２フレームに対応する映像信号を供給させた速度と同じ速度で第２の一画面の第１フレームに対応する映像信号を表示部の最終ラインから先頭ラインへ供給させる。これにより、第１の一画面の第２フレームと第２の一画面の第１フレームとで、信号の供給量を均一にできる。そのため、第１の一画面の第２フレームと第２の一画面の第１フレームとの間の発光デューティーを均一にすることができる。
【００２６】
請求項６に記載の態様の映像表示システムは、請求項２記載の映像表示システムにおいて、前記第１制御部は、前記走査線駆動回路に、前記第１の一画面の第２フレームに対応する映像信号を前記表示部の先頭ラインから最終ラインへ供給させた後、前記走査線駆動回路に、前記第１の一画面の第２フレームに後続する次の第２の一画面の第１フレームに対応する映像信号を前記表示部の最終ラインから先頭ラインへ供給させるまでの間、前記第１の一画面の第２フレームに対応する黒信号を前記表示部の先頭ラインから最終ラインに供給させるものである。
【００２７】
本態様によると、第１の一画面の第２フレームに対応する映像信号を表示部の先頭ラインから最終ラインへ供給した後、第２の一画面の第１フレームに対応する映像信号を表示部の最終ラインから先頭ラインへ供給させるまでの間、第１の一画面の第２フレームに対応する黒信号を表示部の先頭ラインから最終ラインに供給する。これにより、第１の一画面の第２フレームに対応する映像が画面に表示された後、第２の一画面の第１フレームに対応する映像が画面に表示されるまで、画面に黒が表示される。そのため、第２の一画面の第１フレームに対応する映像が画面に表示される際、第１の一画面の第２フレームに対応する映像が混ざるのを防止できる。その結果、画面上でクロストークが発生するのを防止でき、映像の表示品位を向上することができる。
【００２８】
請求項７に記載の態様の映像表示システムは、請求項６記載の映像表示システムにおいて、前記第１制御部は、前記第１の一画面の第２フレームに対応する黒信号を前記表示部の先頭ラインから最終ラインに供給させる際、前記黒信号の先頭ラインについては、前記第１の一画面の第２フレームに対応する黒信号の先頭ラインの２倍の期間供給し、前記黒信号の最終ラインについては、前記第１の一画面の第２フレームに対応する最終ラインの映像信号を供給し終わってから、前記第２の一画面の第１フレームに対応する最終ラインの映像信号を供給し始めるまでの間、供給するものである。
【００２９】
本態様によると、黒信号の先頭ラインについては、第１の一画面の第２フレームに対応する黒信号の先頭ラインの２倍の期間供給する。そして、黒信号の最終ラインについては、第１の一画面の第２フレームに対応する最終ラインの映像信号を供給し終わってから、第２の一画面の第１フレームに対応する最終ラインの映像信号を供給し始めるまでの間、供給する。これにより、第１の一画面の第２フレームに対応する映像が画面に表示された後、第２の一画面の第１フレームに対応する映像が画面に表示されるまで、画面に黒を挿入することができる。
【００３０】
請求項８に記載の態様の映像表示システムは、請求項６記載の映像表示システムにおいて、前記第１の一画面の第２フレームに対応する最終ラインの映像信号を供給し終わってから、前記第２の一画面の第１フレームに対応する最終ラインの映像信号を供給し始めるまでの間の時間間隔がない場合、前記黒信号の最終ラインについては、供給しないものである。
【００３１】
本態様によると、第１の一画面の第２フレームに対応する最終ラインの映像信号を供給し終わってから、第２の一画面の第１フレームに対応する最終ラインの映像信号を供給し始めるまでの間の時間間隔がない場合、黒信号の最終ラインについては、黒信号を供給しない。これにより、最終ラインについて黒信号を挿入しないため、第２の一画面の第１フレームに対応する映像が画面に表示される際、第１の一画面の第２フレームに対応する映像が若干影響する。しかし、黒信号が供給されないのは一画面中の最終ラインのみであるため、一画面全体に与える影響は最小限に抑えることができる。その結果、表示品位の低下を最小限に抑えることができる。
【００３２】
請求項９に記載の態様の映像表示システムは、請求項６記載の映像表示システムにおいて、前記第１制御部は、前記第１の一画面の第２フレームに対応する黒信号を前記表示部の先頭ラインから最終ラインに供給させる際、前記シャッター遮蔽期間までは、前記第１の一画面の第２フレームに対応する黒信号を挿入せずに前記第１の一画面の第２フレームに対応する映像信号を供給し続けるものである。
【００３３】
本態様によると、シャッター遮蔽期間までは黒信号を挿入する代わりに画素部を発光させるので、まだシャッターが閉じていない期間に供給される無駄な黒信号を挿入する時間を発光時間に使うことができる。その結果、画面の輝度を上げることができ、映像の表示品質を向上することができる。
【００３４】
また、本態様により、第１の一画面の第２フレームと第２の一画面の第２フレームとで、信号の供給量を均一にできる。そのため、第１の一画面の第２フレームと第２の一画面の第２フレームとで輝度を上げるとともに輝度を均一にすることができる。
【００３５】
請求項１０に記載の態様の映像表示システムは、請求項９記載の映像表示装置システムにおいて、前記第１制御部は、前記シャッター遮蔽期間に、前記第１の一画面の第２フレームに対応する黒信号を挿入しなかったラインについては、前記第１の一画面の第２フレームに対応する黒信号を同時に供給させるものである。
【００３６】
本態様によると、黒信号を先頭ラインから順次供給する場合に比べて、黒信号を供給する時間を短縮できる。そのため、この短縮できた時間を、画素部を発光させる時間に使用することができ、画素部をより長時間発光させることができる。その結果、表示部の輝度を上げることができる。
【００３７】
請求項１１に記載の態様の映像表示システムは、請求項１記載の映像表示システムにおいて、前記第１制御部は、前記走査線駆動回路に、第２の一画面の第１フレームに対応する映像信号を前記表示部の最終ラインから先頭ラインへ供給させた後、前記走査線駆動回路に、前記第２の一画面の第１フレームに後続する第２の一画面の第２フレームに対応する映像信号を前記表示部の最終ラインから先頭ラインへ供給させるまでの間、前記第２の一画面の第１フレームに対応する黒信号を前記表示部の最終ラインから先頭ラインに供給させるものである。
【００３８】
本態様によると、第１の一画面の第１フレームに対応する映像が表示部に表示された後、第１の一画面の第２フレームに対応する映像が表示部に表示されるまで、表示部が黒く表示される。そのため、第１の一画面の第２フレームに対応する映像が表示部に表示される際に、第１の一画面の第１フレームに対応する映像が視聴者の視覚に残像として混ざるのを防止できる。その結果、連続して表示される映像同士でクロストークが発生するのを防止でき、映像の表示品質を向上することができる。
【００３９】
請求項１２に記載の態様の映像表示システムは、請求項１１記載の映像表示システムにおいて、前記第１制御部は、前記第２の一画面の第１フレームに対応する黒信号を前記表示部の最終ラインから先頭ラインに供給させる際、前記シャッター遮蔽期間までは、前記第２の一画面の第１フレームに対応する黒信号を挿入せずに前記第２の一画面の第１フレームに対応する映像信号を供給し続けるものである。
【００４０】
本態様によると、シャッター遮蔽期間までは黒信号を挿入する代わりに画素部を発光させるので、まだシャッターが閉じていない期間に供給される無駄な黒信号を挿入する時間を発光時間に使うことができる。その結果、画面の輝度を上げることができ、映像の表示品質を向上することができる。
【００４１】
また、本態様により、第１の一画面の第１フレームと第２の一画面の第１フレームとで、信号の供給量を均一にできる。そのため、第１の一画面の第１フレームと第２の一画面の第１フレームとで輝度を上げるとともに輝度を均一にすることができる。
【００４２】
請求項１３に記載の態様の映像表示システムは、請求項１２記載の映像表示システムにおいて、前記第１制御部は、前記シャッター遮蔽期間に、前記第２の一画面の第１フレームに対応する黒信号を前記最終ラインから所定のラインに同時に供給させるものである。
【００４３】
本態様によると、黒信号を先頭ラインから所定のラインまで順に供給する場合に比べて、黒信号を供給する時間を短縮できる。そのため、この短縮できた時間を、画素部を発光させる時間に使用することができ、画素部をより長時間発光させることができる。その結果、表示部の輝度を上げることができる。
【００４４】
請求項１４に記載の態様の映像表示システムは、請求項１記載の映像表示システムにおいて、前記第１制御部は、前記表示部により表示される画面領域を複数に分割し、前記分割された画面領域ごとに各画面領域に対応する映像信号を供給させるものである。
【００４５】
立体映像を表示するためには、データ線駆動回路および走査線駆動回路を駆動するための駆動周波数を高くする、即ち、映像信号を供給するための時間を短くすることが要求される。しかし、映像信号の供給時間を短くするためには、専用のドライバーを用いる必要があり、製造コストが高くなる。
【００４６】
本態様によると、画面領域を複数に分割せずに映像信号を供給させる場合に比べて、映像信号の供給時間を大幅に短縮できる。そのため、立体映像を表示させるために駆動周波数が高くなっても、専用のドライバーを用いる必要がなくなり、製造コストを削減することができる。
【００４７】
請求項１５に記載の態様の映像表示システムは、請求項１４記載の映像表示システムにおいて、前記第１制御部は、同一フレームについて、前記分割された画面領域ごとに各画面領域に対応する映像信号を同一のライン方向に供給させるものである。
【００４８】
請求項１６に記載の態様の映像表示システムは、請求項１５記載の映像表示システムにおいて、前記第１制御部は、前記同一のライン方向として、先頭ラインから最終ラインの方向または最終ラインから先頭ラインの方向のいずれかの方向に、各画面領域に対応する映像信号を供給させるものである。
【００４９】
請求項１７に記載の態様の映像表示システムは、請求項１４記載の映像表示システムにおいて、前記第１制御部は、同一フレームについて、前記分割された画面領域ごとに各画面領域に対応する映像信号を、逆のライン方向に供給させるものである。
【００５０】
請求項１８に記載の態様の映像表示システムは、請求項１７記載の映像表示システムにおいて、前記第１制御部は、前記逆のライン方向として、ある画面領域に対応する映像信号を先頭ラインから最終ラインの方向に供給した場合、他の画面領域に対応する映像信号を最終ラインから先頭ラインの方向に供給するものである。
【００５１】
本態様によると、同一フレームについて、画面領域ごとに各画面領域に対応する映像信号を供給させるので、画面領域を複数に分割せずに映像信号を供給させる場合に比べて、映像信号の供給時間を大幅に短縮できる。
【００５２】
請求項１９に記載の態様の映像表示システムは、請求項１記載の映像表示システムにおいて、前記表示装置は、前記映像信号を外部から入力する入力部を備えるものである。
【００５３】
本態様によると、表示部に映像信号を外部から入力する入力部を設けてもよい。
【００５４】
請求項２０に記載の態様の映像表示システムは、請求項１記載の映像表示システムにおいて、前記表示装置は、前記第１フレームと前記第２フレームとが未分離の映像信号を外部から入力する入力部と、前記未分離の映像信号から前記第１フレームと前記第２フレームとを分離して、前記第１フレームと前記第２フレームとから前記一画面の立体画像を構成する映像信号を生成して前記第１制御部に出力する信号処理部と、を設けるものである。
【００５５】
本態様によると、表示装置に第１フレームと第２フレームとが未分離の映像信号を外部から入力する入力部が設けられる。この場合、信号処理部において、未分離の映像信号から第１フレームと第２フレームとを分離して、一画面の立体映像を構成する映像信号が生成される。
【００５６】
請求項２１に記載の態様の映像表示システムは、請求項１〜２０のいずれかに記載の映像表示システムにおいて、前記映像信号は、当該映像信号に対応する信号電圧であるものである。
【００５７】
本態様によると、映像信号を当該映像信号に対応する信号電圧としてもよい。
【００５８】
請求項２２に記載の態様の映像表示システムは、請求項１〜２１のいずれかに記載の映像表示システムにおいて、前記画素部は、発光素子と前記発光素子の駆動を制御する駆動素子とを含むものである。
【００５９】
請求項２３に記載の態様の映像表示システムは、請求項２２記載の映像表示システムにおいて、前記駆動素子は、前記発光素子への電流の供給を制御するものである。
【００６０】
請求項２４に記載の態様の映像表示システムは、請求項２３記載の映像表示システムにおいて、前記発光素子は、有機エレクトロルミネセンス素子であるものである。
【００６１】
請求項２５に記載の態様の映像表示方法は、表示装置と電子シャッター付メガネ部とを用いて行われる映像表示方法であって、前記表示装置は、画素部をライン単位で複数配置した表示部と、前記画素部を駆動させる走査信号を各画素部に供給する走査線駆動回路と、前記映像信号に対応する映像信号を前記表示部に配置された各画素部に供給するデータ線駆動回路と、立体映像の一画面の一方の眼用の画像情報が設定された第１フレームと前記一画面と同一画面の他方の眼用の画像情報が設定された第２フレームとから前記一画面の立体画像を構成する映像信号を、前記データ線駆動回路に供給する第１制御部と、前記一画面の第１フレームと第２フレームとの切替えタイミングを示す映像同期信号を前記電子シャッター付メガネ部へ送信する第１通信部と、を具備し、前記電子シャッター付メガネ部は、一方の眼用のシャッターと、他方の眼用のシャッターと、前記映像同期信号を受信する第２通信部と、前記映像同期信号に応じて前記一方の眼用のシャッターまたは前記他方の眼用のシャッターの開閉を制御する第２制御部と、を具備し、前記第１制御部が、さらに、前記走査線駆動回路に、第１の一画面に対応する映像信号を前記表示部の先頭ラインから最終ラインへ供給させるステップと、前記第１の一画面に後続する第２の一画面に対応する映像信号を前記表示部の最終ラインから先頭ラインへ供給させるステップと、前記第２制御部が、前記一方の眼用のシャッターおよび前記他方の眼用のシャッターの開閉を切替えるときに、前記一方の眼用のシャッターおよび前記他方の眼用のシャッターの双方を閉状態とするステップと、を含むものである。
【００６２】
請求項２６に記載の態様の表示装置は、画素部をライン単位で複数配置した表示部と、前記画素部を駆動させる走査信号を各画素部に供給する走査線駆動回路と、映像信号を前記表示部に配置された各画素部に供給するデータ線駆動回路と、立体映像の一画面の一方の眼用の画像情報が設定された第１フレームと前記一画面と同一画面の他方の眼用の画像情報が設定された第２フレームとから前記一画面の立体画像を構成する映像信号を、前記データ線駆動回路に供給する第１制御部と、を具備し、前記第１制御部は、さらに、前記走査線駆動回路に、第１の一画面に対応する映像信号を前記表示部の先頭ラインから最終ラインへ供給させ、前記第１の一画面に後続する第２の一画面に対応する映像信号を前記表示部の最終ラインから先頭ラインへ供給させるものである。
【００６３】
本態様によると、第２の一画面において、表示部の下側では映像の途中でシャッターが閉じることなく輝度が明るくなるので、視聴者が電子シャッター付きメガネで映像を視聴した場合、第１の一画面と第２の一画面の２画面分での輝度が画面内で均一になる。その結果、画面の上側および下側における輝度ムラが改善でき、映像の表示品質を向上することができる。
【００６４】
また、スキャンの順序を反転させるための配線を第１制御部と走査線駆動回路との間に設けるだけで、スキャンの順序を反転させることができるので、複雑な制御や回路を必要とせず、簡易な構成で実現できる。
【００６５】
請求項２７に記載の態様の表示装置は、請求項２６記載の表示装置において、前記画素部は、発光素子と前記発光素子の駆動を制御する駆動素子とを含むものである。
【００６６】
請求項２８に記載の態様の表示装置は、請求項２７記載の表示装置において、前記駆動素子は、前記発光素子への電流の供給を制御するものである。
【００６７】
請求項２９に記載の態様の表示装置は、請求項２８記載の表示装置において、前記発光素子を、有機エレクトロルミネセンス素子とするものである。
【００６８】
以下、本発明の実施の形態にかかる映像表示システム、映像表示方法、および表示装置について図面に基づき説明する。なお、以下では、全ての図を通じて同一または相当する要素には同じ符号を付して、その重複する説明を省略する。
【００６９】
（実施の形態１）
本実施の形態１にかかる映像表示システムは、表示装置と電子シャッター付メガネ部とを含む映像表示システムであって、表示装置は、画素部をライン単位で複数配置した表示部と、画素部を駆動する走査信号を各画素部に供給する走査線駆動回路と、映像信号を表示部に配置された各画素部に供給するデータ線駆動回路と、立体映像の一画面の一方の眼用の画像情報が設定された第１フレームと一画面と同一画面の他方の眼用の画像情報が設定された第２フレームとから一画面の立体画像を構成する映像信号を、データ線駆動回路に供給する第１制御部と、一画面の第１フレームと第２フレームとの切替えタイミングを示す映像同期信号を電子シャッター付メガネ部へ送信する第１通信部とを具備し、第１制御部は、さらに、走査線駆動回路に、第１の一画面に対応する映像信号を表示部の先頭ラインから最終ラインへ供給させ、第１の一画面に後続する第２の一画面に対応する映像信号を表示部の最終ラインから先頭ラインへ供給させ、電子シャッター付メガネ部は、一方の眼用のシャッターと、他方の眼用のシャッターと、映像同期信号を受信する第２通信部と、映像同期信号に応じて一方の眼用のシャッターまたは他方の眼用のシャッターの開閉を制御する第２制御部とを具備し、第２制御部は、一方の眼用のシャッターおよび他方の眼用のシャッターの開閉を切替えるときに、一方の眼用のシャッターおよび他方の眼用のシャッターの双方を閉状態とするシャッター遮蔽期間を設けるように、一方の眼用のシャッターおよび他方の眼用のシャッターを制御することを特徴とする。
【００７０】
このような構成により、第２の一画面において表示部の下側では映像の途中でシャッターが閉じることなく輝度が明るくなるので、第１の一画面と第２の一画面の２画面分での輝度が画面内で均一になる。その結果、画面の上側および下側における輝度ムラが改善でき、映像の表示品質を向上することができる。
【００７１】
以下に、本実施の形態について、有機ＥＬフラットパネルディスプレイを表示装置として備えた映像表示システムを例として、図面を参照しながら説明する。
【００７２】
図１は、本発明の映像表示システムの構成を示すブロック図である。同図に示すように、映像表示システム１は、表示装置１１と、映像信号出力部１２と、電子シャッター付メガネ部１３とを備えている。
【００７３】
映像信号出力部１２は、映像信号を表示装置１１に出力するとともに、同期信号を電子シャッター付メガネ部１３に出力する。ここで、映像信号は、立体映像または平面映像のいずれであってもよい。また、同期信号は、表示装置１１に出力される映像信号が右眼用の画像情報が設定されたフレームであるか左眼用の画像情報が設定されたフレームであるかを電子シャッター付メガネ部１３に伝達するための信号である。
【００７４】
図２Ａは、図１における表示装置１１の構成を示すブロック図である。同図に示すように、表示装置１１は、映像表示部２０と、信号入力部２１と、信号処理部２２と、駆動信号制御部２３と、信号送信部２４と、スキャン信号転送部２５と、データ信号転送部２６とを備えている。なお、映像表示部２０、信号入力部２１、信号処理部２２、駆動信号制御部２３、スキャン信号転送部２５、データ信号転送部２６が、それぞれ本発明における表示部、入力部、信号処理部、第１制御部、走査線駆動回路、データ線駆動回路に相当する。
【００７５】
映像表示部２０は、画素部１７をライン単位で複数備え、映像信号出力部１２から表示装置１１に入力された映像信号に基づいて画像を表示する。画素部１７は、例えば、図２Ｂに示すように、発光素子１５と発光素子１５への電流の供給を制御する駆動素子１６とを備えている。さらに、各画素部１７には、駆動素子１６を駆動させる走査信号を供給するゲート線Ｈｙ（ｙ＝１，２，…，ａ，ａ＋１，…，ｙ）と、映像信号を各画素部１７に供給するデータ線Ｖｘ（ｘ＝１，２，…，ｘ）とが接続されている。そして、上記した映像信号に応じて、ゲート線Ｈｙに入力された信号により駆動素子１６が駆動され、データ線Ｖｘから入力された信号により発光素子１５に電流が供給されて、発光素子１５が発光する。この場合、発光素子１５には有機エレクトロルミネセンス素子が用いられる。
【００７６】
また、図２Ａに示すように、信号入力部２１は、右眼用の画像情報が設定された第１フレームと左眼用の画像情報が設定された第２フレームとが未分離の映像信号を、表示装置１１の外部に設けられた映像信号出力部１２から受信し、信号処理部２２に供給する。
【００７７】
信号処理部２２は、上記した未分離の映像信号から第１フレームと第２フレームの画像情報を分離して、第１フレームの画像情報と第２フレームの画像情報を第１制御部である駆動信号制御部２３に出力する。また、第１フレームと第２フレームとの切替えタイミングを示す映像同期信号を信号送信部２４へ供給する。
【００７８】
駆動信号制御部２３は、信号処理部２２から入力された第１フレームと第２フレームの画像情報に対応してスキャン信号転送部２５を駆動するための走査信号を生成し、スキャン信号転送部２５へ供給する。具体的には、スキャン信号転送部２５に、第１の一画面に対応する映像信号を映像表示部２０の先頭ラインに対応するゲート線Ｈ１（以下、先頭ラインＨ１という）から最終ラインに対応するゲート線Ｈｙ（以下、最終ラインＨｙという）へ走査させ、第１の一画面に後続する次の第２の一画面に対応する映像信号を最終ラインＨｙから先頭ラインＨ１へ走査させるための走査信号を供給する。また、駆動信号制御部２３は、信号処理部２２から入力された第１フレームと第２フレームの画像情報をデータ信号転送部２６に供給する。
【００７９】
信号送信部２４は、信号処理部２２から供給された映像同期信号を、電子シャッター付メガネ部１３へ送信する。
【００８０】
スキャン信号転送部２５は、シフトレジスタなどの切替えスイッチを有する構成であり、駆動信号制御部２３から供給された走査信号を、ゲート線Ｈｙを介して映像表示部２０に設けられた画素部１７に供給し、駆動素子１６を駆動して、画像情報に応じて発光素子１５を発光させる。また、データ信号転送部２６は、スキャン信号転送部２５により走査されるゲート線Ｈｙが接続された各画素部１７で表示されるべき映像信号を、データ線Ｖｘを介して各画素部１７へ供給する。このとき、映像表示部２０の上側のゲート線Ｈｙを先頭ラインとして、上側の先頭ラインＨ１から下側の最終ラインＨｙに向かって上記した走査信号が供給されるときには、データ信号転送部２６は、上側の先頭ラインＨ１から下側の最終ラインＨｙに対応する映像信号を、ラインごとに順にデータ線Ｖｘに供給する。また、映像表示部２０の下側の最終ラインＨｙから上側の先頭ラインＨ１に向かって上記した走査信号が供給されるときには、データ信号転送部２６は、下側の最終ラインＨｙから上側の先頭ラインＨ１に対応する映像信号を、ラインごとに順にデータ線Ｖｘに供給する。
【００８１】
電子シャッター付メガネ部１３は、右眼シャッター１３ａと、左眼シャッター１３ｂとを有している。
【００８２】
図３は、電子シャッター付メガネ部１３の構成を示すブロック図である。同図に示すように、電子シャッター付メガネ部１３は、エミッタ３０と、信号受信部３５と、シャッター切替部３６とを備えている。また、エミッタ３０は、メガネ同期制御部３１と、信号送信部３２とを備えている。ここで、エミッタ３０は、電子シャッター付メガネ部１３に設けられなくても、外付けとする構成であってもよく、表示装置１１に内蔵されていてもよい。また、有線接続されなくても、例えば赤外線などによって、信号の送受信が行われる構成であってもよい。なお、メガネ同期制御部３１が本発明における第２制御部、第２通信部に相当する。また、信号受信部３５が本発明における第２受信部、シャッター切替部３６が第２制御部に相当する。
【００８３】
メガネ同期制御部３１は、表示装置１１から出力された映像同期信号と、映像信号出力部１２から出力された同期信号を受信し、メガネ制御信号を生成する。メガネ制御信号は、各フレームの映像同期信号が開始されてから所定の期間は、右眼シャッター１３ａまたは左眼シャッター１３ｂのいずれかを開口し、所定期間経過後は開口していた右眼シャッター１３ａまたは左眼シャッター１３ｂを閉口する制御信号である。これにより、右眼シャッター１３ａおよび左眼シャッター１３ｂの開閉を切替えるときに、シャッターの双方を閉状態とする制御が行われる。
【００８４】
その後、メガネ同期制御部３１は、映像同期信号とメガネ制御信号を信号送信部３２に出力する。
【００８５】
信号送信部３２は、受信した映像同期信号とメガネ制御信号をさらに信号受信部３５に供給する。このとき、例えば、エミッタ３０が電子シャッター付メガネ部１３に外付けされる構成であれば、赤外線通信方式により、信号送信部３２から電子シャッター付メガネ部１３の信号受信部３５にこれらの信号が送信される。
【００８６】
信号受信部３５は、映像同期信号とメガネ制御信号を受信すると、シャッター切替部３６にこれらの信号を供給する。そして、シャッター切替部３６は、映像同期信号に同期して、メガネ制御信号により電子シャッター付メガネ部１３の右眼シャッター１３ａおよび左眼シャッター１３ｂの開閉を制御する。
【００８７】
以下に、映像表示システム１の動作手順を示す。
【００８８】
図４は、図１に示す映像表示システム１の駆動タイミングを示すタイミングチャート、図５〜８は、映像表示システム１の動作の流れを示すフローチャートである。また、図９Ａ、９Ｂ、１０は、表示映像の一例を示す図である。
【００８９】
図４において、右眼ｎフレームの映像信号が映像表示部２０に表示される期間に、表示装置１１に映像信号Ｖｓｙｎｃが入力されると、映像表示部２０の上側から下側に向かって、つまり、映像表示部２０の先頭ラインＨ１から順に最終ラインＨｙまで、スキャン信号転送部２５から映像信号を走査するための第１パルスが順に印加される。続いて、黒信号を走査するための第２パルスが、先頭ラインＨ１から順に最終ラインＨｙまで印加される。黒信号は、視聴者が右眼ｎフレームの映像信号と、次の左眼ｍフレームの映像信号を混同して認識しないように、左眼ｍフレームの映像信号が走査される前に走査される。つまり、右眼ｎフレームに対応する映像が映像表示部２０に表示された後、左眼ｍフレームに対応する映像が映像表示部２０に表示されるまでの間、黒信号を走査して映像表示部２０が黒く表示されることにより、左眼ｍフレームに対応する映像が表示される際に、右眼ｎフレームに対応する映像が視聴者の視覚に残像として混ざるのを防止できる。その結果、連続して表示される右眼ｎフレームに対応する映像と左眼ｍフレームに対応する映像でクロストークが発生するのを防止でき、映像の表示品質を向上することができる。
【００９０】
右眼ｎフレームの走査が終了すると、続いて左眼ｍフレームの映像信号Ｖｓｙｎｃが表示装置１１に入力され、走査が開始される。左眼ｍフレームでも同様に、映像表示部２０の上側から下側に向かって、つまり、映像表示部２０の先頭ラインＨ１から順に最終ラインＨｙまで、スキャン信号転送部２５から映像信号を走査するための第１パルスが順に印加される。続いて、黒信号を走査するための第２パルスが先頭ラインＨ１から順に最終ラインＨｙまで印加される。なお、右眼ｎフレームと左眼ｍフレームにより、第１の一画面が形成される。
【００９１】
左眼ｍフレームの走査が終了すると、続いて右眼ｎ＋１フレームの映像信号Ｖｓｙｎｃが表示装置１１に入力され、走査が開始される。右眼ｎ＋１フレームでは、映像表示部２０の下側から上側に向かって、つまり、映像表示部２０の最終ラインＨｙから順に先頭ラインＨ１まで、スキャン信号転送部２５から映像信号を走査するための第１パルスが、左眼ｍフレームの映像信号Ｖｓｙｎｃが印加された速度と同じ速度で順に印加される。続いて黒信号を走査するための第２パルスが最終ラインＨｙから順に先頭ラインＨ１まで印加される。
【００９２】
右眼ｎ＋１フレームの走査が終了すると、続いて左眼ｍ＋１フレームの映像信号Ｖｓｙｎｃが表示装置１１に入力され、走査が開始される。左眼ｍ＋１フレームでも同様に、映像表示部２０の下側から上側に向かって、つまり、映像表示部２０の最終ラインＨｙから順に先頭ラインＨ１まで、スキャン信号転送部２５から映像信号を走査するための第１パルスが順に印加される。続いて、黒信号を走査するための第２パルスが、最終ラインＨｙから順に先頭ラインＨ１まで印加される。なお、右眼ｎ＋１フレームと左眼ｍ＋１フレームにより、第２の一画面が形成される。
【００９３】
図５に、上記した駆動タイミングで映像表示システム１が動作するためのフローチャートを示す。
【００９４】
映像信号出力部１２から出力された右眼ｎフレームの映像信号Ｖｓｙｎｃは、表示装置１１の信号入力部２１で受信される（ステップＳ１０）。この映像信号Ｖｓｙｎｃには、第１フレームと第２フレームとの切替えタイミングを示す映像同期信号と、立体映像に関する情報を含んだ３Ｄ信号が付加されている。なお、立体映像でない場合には、映像信号Ｖｓｙｎｃに３Ｄ信号は付加されていない。そして、映像信号Ｖｓｙｎｃを受信した信号入力部２１から信号処理部２２に、映像信号Ｖｓｙｎｃが供給される。
【００９５】
信号処理部２２は、供給された映像信号Ｖｓｙｎｃを解析して（ステップＳ１１）、映像信号Ｖｓｙｎｃから映像同期信号、３Ｄ信号を分離する。そして、映像信号Ｖｓｙｎｃに３Ｄ信号が付加されているかどうかを検出し（ステップＳ１２）、映像信号を立体表示または平面表示するための制御信号であるディスプレイ制御信号を生成し、駆動信号制御部２３に出力する。なお、ディスプレイ制御信号には、上記した走査信号と、映像信号Ｖｓｙｎｃまたは黒信号が含まれる。ここで、映像信号Ｖｓｙｎｃに３Ｄ信号が付加されている場合には、信号処理部２２は、さらに、映像信号Ｖｓｙｎｃから第１フレームの画像情報と第２フレームの画像情報を分離している。
【００９６】
また、映像信号Ｖｓｙｎｃに３Ｄ信号が付加されている場合には、信号処理部２２は、映像同期信号を、信号処理部２２から信号送信部２４を介して電子シャッター付メガネ部１３へ出力する。そして、映像同期信号を受信した電子シャッター付メガネ部１３では、シャッターメガネ動作が行われる（ステップＳ１３）。なお、シャッターメガネ動作については、後に詳しく説明する。
【００９７】
そして、駆動信号制御部２３では、ディスプレイ制御信号により、スキャン反転制御が行われる（ステップＳ１４）。なお、本実施の形態で行われるスキャン反転制御を、スキャン反転単純制御と呼ぶこととする。
【００９８】
図６は、スキャン反転単純制御の処理を示すフローチャートである。ここでは、図４の右眼ｎ＋１フレームを例として説明する。ディスプレイ制御信号を受信した駆動信号制御部２３は、前フレームである左眼ｍフレームが、順方向、つまり、映像表示部２０の上側の先頭ラインＨ１から下側の最終ラインＨｙに向けてスキャンされたかどうかを検出する（ステップＳ２０）。そして、左眼ｍフレームが順方向にスキャンされたと検出した場合には、さらに、ディスプレイ制御信号が映像信号Ｖｓｙｎｃであるかどうかを検出する（ステップＳ２１）。
【００９９】
そして、駆動信号制御部２３は、ディスプレイ制御信号が映像信号Ｖｓｙｎｃであると検出した場合には、映像信号Ｖｓｙｎｃを逆方向にスキャンする制御を行う（ステップＳ２２）。つまり、左眼ｍフレームと逆方向で、映像表示部２０の下側の最終ラインＨｙから上側の先頭ラインＨ１に向けて、左眼ｍフレームの映像信号Ｖｓｙｎｃがスキャンされた速度と同じ速度でスキャンをするように、スキャン信号転送部２５に走査信号を供給する。これにより、スキャン信号転送部２５は、図４に示したようなタイミングで、ゲート線Ｈｙを介して映像表示部２０に第１パルスを出力する。また、データ信号転送部２６は、下側の最終ラインＨｙから上側の先頭ラインＨ１の順に、対応する各ラインの映像信号Ｖｓｙｎｃをデータ線Ｖｘのそれぞれに出力する（ステップＳ１５）。
【０１００】
また、駆動信号制御部２３は、ディスプレイ制御信号が映像信号Ｖｓｙｎｃでないと検出した場合、つまり、黒信号であると検出した場合には、黒信号を逆方向にスキャンする制御を行う（ステップＳ２３）。つまり、左眼ｍフレームと逆方向で、映像表示部２０の下側の最終ラインＨｙから上側の先頭ラインＨ１に向けて、左眼ｍフレームの映像信号Ｖｓｙｎｃがスキャンされた速度と同じ速度でスキャンをするように、スキャン信号転送部２５に走査信号を供給する。これにより、スキャン信号転送部２５は、図４に示したようなタイミングで、ゲート線Ｈｙを介して映像表示部２０に第２パルスを出力する。また、データ信号転送部２６は、逆方向、つまり、下側の最終ラインＨｙから上側の先頭ラインＨ１の順に、黒信号をデータ線Ｖｘのそれぞれに出力する（ステップＳ１５）。ここで、黒信号の先頭ラインＨ１については、左眼ｍフレームに対応する黒信号の先頭ラインＨ１の２倍の期間黒信号を供給し、黒信号の最終ラインＨｙについては、左眼ｍフレームに対応する最終ラインＨｙの映像信号Ｖｓｙｎｃを供給し終わってから右眼ｎ＋１フレームに対応する最終ラインＨｙの映像信号Ｖｓｙｎｃを供給し始めるまでの間、黒信号を供給する。なお、左眼ｍフレームに対応する最終ラインＨｙの映像信号を供給し終わってから右眼ｎ＋１フレームに対応する最終ラインＨｙの映像信号を供給し始めるまでの間の時間間隔がない場合には、最終ラインＨｙには黒信号を供給せず、左眼ｍフレームの映像信号Ｖｓｙｎｃに続けて右眼ｎ＋１フレームの映像信号Ｖｓｙｎｃを供給する。
【０１０１】
また、同一の一画面を形成する左眼ｍ＋１フレームについても、上記した右眼ｎ＋１フレームと同様に、逆方向にスキャンする制御が行われる。
【０１０２】
次に、図４の右眼ｎフレームを例に説明する。ディスプレイ制御信号を受信した駆動信号制御部２３は、前フレームである左眼ｍ−１フレーム（図示せず）が、順方向にスキャンされたかどうかを検出する（ステップＳ２０）。そして、左眼ｍ−１フレームが順方向にスキャンされていないと検出した場合には、さらに、ディスプレイ制御信号が映像信号Ｖｓｙｎｃであるかどうかを検出する（ステップＳ２４）。
【０１０３】
そして、駆動信号制御部２３は、ディスプレイ制御信号が映像信号Ｖｓｙｎｃであると検出した場合には、映像信号Ｖｓｙｎｃを順方向にスキャンする制御を行う（ステップＳ２５）。つまり、映像表示部２０の上側の先頭ラインＨ１から下側の最終ラインＨｙに向けてスキャンをするように、スキャン信号転送部２５に走査信号を供給する。これにより、スキャン信号転送部２５は、図４に示したようなタイミングで、ゲート線Ｈｙを介して映像表示部２０に第１パルスを出力する。また、データ信号転送部２６は、上側の先頭ラインＨ１から下側の最終ラインＨｙの順に、対応する各ラインの映像信号Ｖｓｙｎｃをデータ線Ｖｘのそれぞれに出力する（ステップＳ１５）。
【０１０４】
また、駆動信号制御部２３は、ディスプレイ制御信号が映像信号Ｖｓｙｎｃでないと検出した場合、つまり、黒信号であると検出した場合には、黒信号を順方向にスキャンする制御を行う（ステップＳ２６）。つまり、映像表示部２０の上側の先頭ラインＨ１から下側の最終ラインＨｙに向けてスキャンをするようにスキャン信号転送部２５に走査信号を供給する。これにより、スキャン信号転送部２５は、図４に示したようなタイミングで、ゲート線Ｈｙを介して映像表示部２０に第２パルスを出力する。また、データ信号転送部２６は、順方向、つまり、上側の先頭ラインＨ１から下側の最終ラインＨｙの順に、黒信号をデータ線Ｖｘのそれぞれに出力する（ステップＳ１５）。
【０１０５】
また、同一の一画面を形成する左眼ｍフレームについても、上記した右眼ｎフレームと同様に、順方向にスキャンする制御が行われる。
【０１０６】
図９Ａは、上記した走査により表示される表示映像の一例を示す図である。図９Ａは、映像表示部２０の１列分の画素部１７について映像表示部２０に表示される映像信号と黒信号の表示時間を示している。同図の縦軸は、画面垂直方向を示し、横軸は時間を示している。すなわち、映像表示部２０の上側の画素部１７から下側の画素部１７に、順に映像信号および黒信号が供給されていることを示している。また、上記した走査により、映像表示部２０に表示される映像は、図９Ａに示すように、映像信号と黒信号が交互に表示される。そして、右眼ｎフレームと左眼ｍフレームで立体映像の一画面が構成されている。また、右眼ｎフレームと右眼ｎ＋１フレームでは、映像信号および黒信号の走査方向が逆になり、同様に、左眼ｍフレームと左眼ｍ＋１フレームでは映像信号および黒信号の走査方向が逆になる。
【０１０７】
次に、電子シャッター付メガネ部１３のシャッターメガネ動作について説明する。ここで、映像同期信号は、Ｌｏｗのときに右眼用、Ｈｉｇｈのときに左眼用の映像信号であることを示す。また、メガネ同期制御部３１から供給されるメガネ制御信号は、Ｈｉｇｈのときにシャッターを開口し、Ｌｏｗのときにシャッターを閉口する信号である。
【０１０８】
図４に示すように、右眼ｎフレームの映像信号Ｖｓｙｎｃが入力されると、表示装置１１から電子シャッター付メガネ部１３にＬｏｗレベルの映像同期信号とＨｉｇｈレベルのメガネ制御信号が供給され、右眼シャッター１３ａが開口、左眼シャッター１３ｂが閉口される制御が行われる。これにより、視聴者は、右眼の映像信号を右眼で認識することが可能となる。また、次の左眼ｍフレームでは、右眼シャッター１３ａは閉口されるが、シャッターの開閉には応答時間があるため、右眼ｎフレーム期間の途中からメガネ制御信号はＬｏｗとなり、右眼シャッター１３ａが閉口されるシャッター切替えが開始される。
【０１０９】
右眼ｎフレームの走査が終了し、続いて左眼ｍフレームの映像信号Ｖｓｙｎｃが入力されると、表示装置１１から電子シャッター付メガネ部１３にＨｉｇｈレベルの映像同期信号とＨｉｇｈレベルのメガネ制御信号が供給され、右眼シャッター１３ａが閉口、左眼シャッター１３ｂが開口される制御が行われる。これにより、視聴者は、左眼の映像信号を左眼で認識することが可能となる。また、左眼ｍフレーム期間の途中からメガネ制御信号はＬｏｗとなり左眼シャッター１３ｂが閉口されるシャッター切替えが開始される。
【０１１０】
左眼ｍフレームの走査が終了し、続いて右眼ｎ＋１フレームの映像信号Ｖｓｙｎｃが入力されると、再び表示装置１１から電子シャッター付メガネ部１３にＬｏｗレベルの映像同期信号とＨｉｇｈレベルのメガネ制御信号が供給され、右眼シャッター１３ａが開口、左眼シャッター１３ｂが閉口される制御が行われる。これにより、視聴者は、右眼の映像信号を右眼で認識することが可能となる。また、右眼ｎ＋１フレーム期間の途中からメガネ制御信号はＬｏｗとなり右眼シャッター１３ａが閉口されるシャッター切替えが開始される。
【０１１１】
右眼ｎ＋１フレームの走査が終了し、続いて左眼ｍ＋１フレームの映像信号Ｖｓｙｎｃが入力されると、表示装置１１から電子シャッター付メガネ部１３にＨｉｇｈレベルの映像同期信号とＨｉｇｈレベルのメガネ制御信号が供給され、右眼シャッター１３ａが閉口され、左眼シャッター１３ｂが開口される制御が行われる。これにより、視聴者は、左眼の映像信号を左眼で認識することが可能となる。また、左眼ｍ＋１フレーム期間の途中からメガネ制御信号はＬｏｗとなり左眼シャッター１３ｂが閉口されるシャッター切替えが開始される。
【０１１２】
図７は、電子シャッター付メガネ部１３のシャッター動作の流れを示すフローチャートである。はじめに、図４における右眼ｎフレームを例として説明する。
【０１１３】
上記したように、表示装置１１においてステップＳ３０、Ｓ３１の動作が行われて、信号処理部２２から映像同期信号とメガネ制御信号を受信したメガネ同期制御部３１は、受信した映像同期信号がＬｏｗかどうかを検出する（ステップＳ３２）。つまり、映像表示部２０に表示される映像が右眼用の映像信号であるかどうかを検出する。そして、映像同期信号がＬｏｗである場合には、さらに、メガネ制御信号がＬｏｗであるかどうか検出する（ステップＳ３３）。
【０１１４】
映像同期信号がＬｏｗであり、かつ、メガネ制御信号がＬｏｗでなければ、右眼シャッター１３ａは開口され、左眼シャッター１３ｂは閉口される。つまり、信号送信部３２は、映像同期信号とメガネ制御信号を信号受信部３５へ送信し（ステップＳ３８）、受信した信号受信部３５は、これらの信号をシャッター切替部３６に供給する（ステップＳ３９）。そして、シャッター切替部３６は、右眼シャッター１３ａを開口し、左眼シャッター１３ｂを閉口する制御を行い（ステップＳ４０）、右眼シャッター１３ａが開口し、左眼シャッター１３ｂが閉口する（ステップＳ４１）。なお、電子シャッター付メガネ部１３のシャッターの開閉は、例えば液晶駆動方式であり、この場合、印加電圧を制御することによりシャッターの開閉が行われる。また、シャッターは液晶駆動方式に限らず、その他の駆動方式のシャッターであってもよい。
【０１１５】
また、映像同期信号がＬｏｗであり、かつ、メガネ制御信号がＬｏｗであれば、右眼シャッター１３ａは閉口され、左眼シャッター１３ｂは閉口される。つまり、信号送信部３２は、映像同期信号とメガネ制御信号を信号受信部３５へ送信し（ステップＳ３４）、受信した信号受信部３５は、これらの信号をシャッター切替部３６に供給する（ステップＳ３５）。そして、シャッター切替部３６は、右眼シャッター１３ａを閉口し、左眼シャッター１３ｂを閉口する制御を行い（ステップＳ３６）、右眼シャッター１３ａが開口し、左眼シャッター１３ｂが閉口する（ステップＳ３７）。
【０１１６】
図９Ｂは、図９Ａに示す表示映像において、電子シャッター付メガネ部１３の右眼シャッター１３ａを開閉したときに、視聴者の右眼で認識される表示映像を示す図である。ここで、網掛け表示をしている期間は、シャッターが閉じ始めてから完全に閉じるまでの期間を示している。電子シャッター付メガネ部１３の上記したような動作により、視聴者は図９Ｂに示すような表示映像を認識する。つまり、右眼ｎフレームと右眼ｎ＋１フレームでは、映像信号および黒信号の走査方向が逆になり、同様に、左眼ｍフレームと左眼ｍ＋１フレームでは映像信号および黒信号の走査方向が逆になる。
【０１１７】
メガネ制御信号は、映像同期信号が開始されてから所定の期間は、右眼シャッター１３ａまたは左眼シャッター１３ｂのいずれかを開口し、所定期間経過後は、シャッターの開閉の応答時間を考慮して、次の映像同期信号が開始される前に、開口していた右眼シャッター１３ａまたは左眼シャッター１３ｂの閉口を開始する制御信号である。よって、図９Ｂに示すように、右眼ｎフレームの途中から右眼シャッター１３ａの閉口が開始されるので、右眼ｎフレームの表示画像の下側の数ラインと右眼ｎ＋１フレームの表示画像の上側の数ラインが、右眼シャッター１３ａにより遮られる。したがって、視聴者には、映像表示部２０の上側と下側のそれぞれ数ラインの映像が暗くなっているように認識される。つまり、映像表示部２０の下側の数ラインが常に暗いと認識される従来技術に比べると、映像表示部２０の上側と下側の数ラインに暗くなる部分が分散されるとともに、暗さの強度が従来技術の１／２程度になる。したがって、視聴者が暗いと感じる輝度ムラは抑制される。
【０１１８】
次に、図４における左眼ｍフレームを例として説明する。
【０１１９】
メガネ制御信号が付加された映像同期信号を受信したメガネ同期制御部３１は、受信した映像同期信号がＬｏｗかどうかを検出する（ステップＳ３２）。つまり、映像表示部２０に表示される映像が右眼用の映像信号であるかどうかを検出する。そして、映像同期信号がＬｏｗでない場合、つまり、映像表示部２０に表示される映像が左眼用の映像信号である場合には、さらに、メガネ制御信号がＬｏｗであるかどうか検出する（ステップＳ４２）。
【０１２０】
映像同期信号がＨｉｇｈであり、かつ、メガネ制御信号がＬｏｗでなければ、左眼シャッター１３ｂは開口され、右眼シャッター１３ａは閉口される。つまり、信号送信部３２は、映像同期信号とメガネ制御信号を信号受信部３５へ送信し（ステップＳ４７）、受信した信号受信部３５は、これらの信号をシャッター切替部３６に供給する（ステップＳ４８）。そして、シャッター切替部３６は、左眼シャッター１３ｂを開口し、右眼シャッター１３ａを閉口する制御を行い（ステップＳ４９）、左眼シャッター１３ｂが開口し、右眼シャッター１３ａが閉口する（ステップＳ５０）。
【０１２１】
また、映像同期信号がＨｉｇｈであり、かつ、メガネ制御信号がＬｏｗであれば、左眼シャッター１３ｂは閉口され、右眼シャッター１３ａは閉口される。つまり、信号送信部３２は、映像同期信号とメガネ制御信号を信号受信部３５に送信し（ステップＳ４３）、受信した信号受信部３５は、これらの信号をシャッター切替部３６に供給する（ステップＳ４４）。そして、シャッター切替部３６は、左眼シャッター１３ｂを閉口し、右眼シャッター１３ａを閉口する制御を行い（ステップＳ４５）、左眼シャッター１３ｂが閉口し、右眼シャッター１３ａが閉口する（ステップＳ４６）。
【０１２２】
図１０は、電子シャッター付メガネ部１３の右眼シャッター１３ａおよび左眼シャッター１３ｂを開閉したときに、視聴者の右眼、左眼および両眼で認識される表示映像をそれぞれ示す図である。ここで、メガネ制御信号は、映像同期信号が開始されてから所定の期間は、右眼シャッター１３ａまたは左眼シャッター１３ｂのいずれかを開にし、所定期間経過後は開にしていた右眼シャッター１３ａまたは左眼シャッター１３ｂを閉にする制御信号である。したがって、図１０の最下図に示すように、映像同期信号の右眼シャッター１３ａから左眼シャッター１３ｂの開閉を切替える間、または、左眼シャッター１３ｂから右眼シャッター１３ａの開閉を切替える間に、シャッターの双方が閉状態となるシャッター遮蔽期間が生じることとなる。
【０１２３】
なお、図５において、ディスプレイ制御信号が３Ｄ信号を含まない場合には、上記したシャッターメガネ動作は行われず（ステップＳ１６）、平面映像を表示するスキャン通常制御が行われる（ステップＳ１７、Ｓ１５）。
【０１２４】
図８は、スキャン通常制御の処理を示すフローチャートである。３Ｄ信号を含まないディスプレイ制御信号を受信した駆動信号制御部２３は、ディスプレイ制御信号が映像信号Ｖｓｙｎｃであるかどうかを検出する（ステップＳ６０）。そして、ディスプレイ制御信号が映像信号Ｖｓｙｎｃであると検出した場合には、駆動信号制御部２３は、映像信号Ｖｓｙｎｃを平面映像としてスキャンする制御を行う（ステップＳ６１）。また、ディスプレイ制御信号が映像信号Ｖｓｙｎｃでないと検出した場合、つまり、黒信号であると検出した場合には、駆動信号制御部２３は、黒信号を平面映像としてスキャンする制御を行う（ステップＳ６２）。これにより、視聴者は、映像信号を平面映像として認識する。
【０１２５】
（実施の形態２）
次に、本発明の実施の形態２にかかる映像表示システムについて説明する。
【０１２６】
本実施の形態が上記した実施の形態１と異なる点は、右眼シャッター１３ａと左眼シャッター１３ｂの双方が閉状態のシャッター遮蔽期間にのみ、黒信号が供給される点である。
【０１２７】
図１１Ａは、本実施の形態にかかる電子シャッター付メガネ部１３の右眼シャッター１３ａおよび左眼シャッター１３ｂを開閉したときに、視聴者の右眼、左眼および両眼で認識される表示映像をそれぞれ示す図である。
【０１２８】
図１１Ａに示すように、シャッターの開閉には応答時間があるため、映像同期信号の右眼シャッター１３ａから左眼シャッター１３ｂの開閉を切替える間、または、左眼シャッター１３ｂから右眼シャッター１３ａの開閉を切替える間には、シャッターの双方を閉状態とするシャッター遮蔽期間が設けられることとなる。そこで、映像表示部２０に、シャッター遮蔽期間までは映像信号を供給し続け、シャッター遮蔽期間に黒信号を挿入することにより、効率よく映像表示部の上側および下側の輝度ムラを抑制することができる。
【０１２９】
図１１Ｂは、図１１Ａからシャッターを除いた表示映像を示す図である。黒信号は、シャッター遮蔽期間のみに映像表示部２０に表示されるので、表示時間を短くする必要がある。したがって、例えば図１０のように、映像表示部２０のゲート線Ｈｙに先頭ラインＨ１から最終ラインＨｙへ順に制御信号を供給すると、黒信号の表示時間が長くなり、シャッター遮蔽期間を超えてしまうこととなる。そこで、図１１Ｂに示すように、例えば、映像表示部２０を４つの画面領域に分割して、シャッター遮蔽期間にはそれぞれの画面領域に同時に黒信号を走査する。なお、本実施の形態で行われるスキャン反転制御を、スキャン反転黒同時スキャン制御と呼ぶこととする。また、上記した映像表示部２０の分割数は、４つに限られず、複数に分割されていればその他の分割数であってもよい。
【０１３０】
図１２は、スキャン反転黒同時スキャン制御の処理を示すフローチャートである。実施の形態１と同様に、映像信号出力部１２から出力された右眼ｎフレームの映像信号Ｖｓｙｎｃは、表示装置１１の信号入力部２１で受信される（ステップＳ７０）。この映像信号Ｖｓｙｎｃには、映像同期信号と、立体映像に関する情報を含んだ３Ｄ信号が付加されている。なお、立体映像でない場合には、映像信号Ｖｓｙｎｃに３Ｄ信号は付加されていない。そして、映像信号Ｖｓｙｎｃを受信した信号入力部２１から信号処理部２２に、映像信号Ｖｓｙｎｃが供給される。
【０１３１】
信号処理部２２は、供給された映像信号Ｖｓｙｎｃを解析して（ステップＳ７１）、映像信号Ｖｓｙｎｃから映像同期信号、３Ｄ信号を分離する。そして、映像信号Ｖｓｙｎｃに３Ｄ信号が付加されているかどうかを検出し（ステップＳ７２）、映像信号を立体表示または平面表示するための制御信号であるディスプレイ制御信号を生成し、駆動信号制御部２３に出力する。なお、ディスプレイ制御信号には、上記した走査信号と、映像信号Ｖｓｙｎｃまたは黒信号が含まれる。ここで、映像信号Ｖｓｙｎｃに３Ｄ信号が付加されている場合には、信号処理部２２は、さらに、映像信号Ｖｓｙｎｃから第１フレームの画像情報と第２フレームの画像情報を分離している。
【０１３２】
また、映像信号Ｖｓｙｎｃに３Ｄ信号が付加されている場合には、信号処理部２２は、第１フレームと第２フレームとの切替えタイミングを示す映像同期信号を生成し、信号処理部２２から信号送信部２４を介して電子シャッター付メガネ部１３へ出力する。そして、実施の形態１と同様に、映像同期信号を受信した電子シャッター付メガネ部１３では、シャッターメガネ動作が行われる（ステップＳ７３）。
【０１３３】
そして、駆動信号制御部２３では、ディスプレイ制御信号により、スキャン反転制御が行われる（ステップＳ７４）。
【０１３４】
図１３は、スキャン反転黒同時スキャン制御の処理を示すフローチャートである。ここでは、図１１Ｂの右眼ｎ＋１フレームを例として説明する。ディスプレイ制御信号を受信した駆動信号制御部２３は、前フレームである左眼ｍフレームが、順方向、つまり、映像表示部２０の上側の先頭ラインＨ１から下側の最終ラインＨｙに向けてスキャンされたかどうかを検出する（ステップＳ８０）。そして、左眼ｍフレームが順方向にスキャンされたと検出した場合には、さらに、ディスプレイ制御信号が映像信号Ｖｓｙｎｃであるかどうかを検出する（ステップＳ８１）。
【０１３５】
そして、駆動信号制御部２３は、ディスプレイ制御信号が映像信号Ｖｓｙｎｃであると検出した場合には、映像信号Ｖｓｙｎｃを逆方向にスキャンする制御を行う（ステップＳ８２）。つまり、左眼ｍフレームと逆方向で、映像表示部２０の下側の最終ラインＨｙから上側の先頭ラインＨ１に向けて、左眼ｍフレームの映像信号Ｖｓｙｎｃがスキャンされた速度と同じ速度でスキャンをするように、スキャン信号転送部２５に走査信号を供給する。これにより、スキャン信号転送部２５は、ゲート線Ｈｙを介して映像表示部２０に走査信号を出力する。また、データ信号転送部２６は、下側の最終ラインＨｙから上側の先頭ラインＨ１の順に、対応する各ラインの映像信号Ｖｓｙｎｃをデータ線Ｖｘのそれぞれに出力する（ステップＳ７５）。
【０１３６】
また、駆動信号制御部２３は、ディスプレイ制御信号が映像信号Ｖｓｙｎｃでないと検出した場合、つまり、黒信号であると検出した場合には、黒信号を逆方向にスキャンする制御を行う（ステップＳ８３）。つまり、シャッター遮蔽期間に合わせて、上記したように、４つの画面領域の各最終ラインから各先頭ラインの方向に同時にスキャンをするように、スキャン信号転送部２５に走査信号を供給する。これにより、スキャン信号転送部２５は、各画面領域の最終ラインから先頭ラインの方向に、各ゲート線Ｈｙを介して映像表示部２０に順に走査信号を出力する。また、データ信号転送部２６は、各画面領域の下側の最終ラインから上側の先頭ラインの順に、黒信号をデータ線Ｖｘのそれぞれに出力する（ステップＳ７５）。なお、左眼ｍフレームに対応する最終ラインＨｙの映像信号Ｖｓｙｎｃを供給し終わってから右眼ｎ＋１フレームに対応する最終ラインＨｙの映像信号Ｖｓｙｎｃを供給し始めるまでの間の時間間隔がない場合には、最終ラインＨｙには黒信号を供給せず、左眼ｍフレームの映像信号Ｖｓｙｎｃに続けて右眼ｎ＋１フレームの映像信号Ｖｓｙｎｃを供給する。
【０１３７】
また、同一の一画面を形成する左眼ｍ＋１フレームについても、上記した右眼ｎ＋１フレームと同様に、逆方向にスキャンする制御が行われる。
【０１３８】
次に、図１１Ｂの右眼ｎフレームを例に説明する。ディスプレイ制御信号を受信した駆動信号制御部２３は、前フレームである左眼ｍ−１フレームが、順方向にスキャンされたかどうかを検出する（ステップＳ８０）。そして、左眼ｍ−１フレームが順方向にスキャンされていないと検出した場合には、さらに、ディスプレイ制御信号が映像信号Ｖｓｙｎｃであるかどうかを検出する（ステップＳ８４）。
【０１３９】
そして、駆動信号制御部２３は、ディスプレイ制御信号が映像信号Ｖｓｙｎｃであると検出した場合には、映像信号Ｖｓｙｎｃを順方向にスキャンする制御を行う（ステップＳ８５）。つまり、映像表示部２０の上側の先頭ラインＨ１から下側の最終ラインＨｙに向けてスキャンをするように、スキャン信号転送部２５に走査信号を供給する。これにより、スキャン信号転送部２５は、ゲート線Ｈｙを介して映像表示部２０に走査信号を出力する。また、データ信号転送部２６は、上側の先頭ラインＨ１から下側の最終ラインＨｙの順に、対応する各ラインの映像信号Ｖｓｙｎｃをデータ線Ｖｘのそれぞれに出力する（ステップＳ７５）。
【０１４０】
また、駆動信号制御部２３は、ディスプレイ制御信号が映像信号Ｖｓｙｎｃでないと検出した場合、つまり、黒信号であると検出した場合には、黒信号を順方向にスキャンする制御を行う（ステップＳ８６）。つまり、シャッター遮蔽期間に合わせて、上記したように、４つの画面領域の各先頭ラインから各最終ラインの方向に、同時にスキャンをするように、スキャン信号転送部２５に走査信号を供給する。これにより、スキャン信号転送部２５は、各画面領域の先頭ラインから最終ラインの方向に、各ゲート線Ｈｙを介して映像表示部２０に順に走査信号を出力する。また、データ信号転送部２６は、各画面領域の上側の先頭ラインから下側の最終ラインの順に、黒信号をデータ線Ｖｘのそれぞれに出力する（ステップＳ７５）。
【０１４１】
また、同一の一画面を形成する左眼ｍフレームについても、上記した右眼ｎフレームと同様に、順方向にスキャンする制御が行われる。
【０１４２】
なお、電子シャッター付メガネ部１３のシャッターメガネ動作、スキャン通常動作については、上記した実施の形態１と同様であるため説明を省略する。
【０１４３】
上記した走査により、映像表示部２０に表示される映像は、図１１Ｂに示すように、各フレームにおいて、シャッター遮蔽期間までは映像信号が表示され、シャッター遮蔽期間は黒信号が表示される。また、右眼ｎフレームと右眼ｎ＋１フレームでは、映像信号および黒信号の走査方向が逆になり、同様に、左眼ｍフレームと左眼ｍ＋１フレームでは映像信号および黒信号の走査方向が逆になる。
【０１４４】
このような構成により、黒信号を供給する時間を短縮して、短縮した時間を、映像信号を発光させる時間に使用するので、映像表示部２０をより長時間発光させることができる。その結果、映像表示部２０の全体の輝度を向上することができ、映像表示部２０の上側および下側に発生する輝度ムラを抑制することができる。なお、ディスプレイ制御信号が３Ｄ信号を含まない場合には、上記したシャッターメガネ動作は行われず（ステップＳ７６）、平面映像を表示するスキャン通常制御が行われる（ステップＳ７７、Ｓ７５）。
【０１４５】
図１４は、従来技術、実施の形態１および実施の形態２における表示映像の輝度を示す図であり、同図（ａ）は従来技術、同図（ｂ）は実施の形態１、同図（ｃ）は実施の形態２における表示映像の輝度をそれぞれ示している。ここで、縦軸は画面垂直方向を示し、横軸は光量を示している。横軸の光量は、矢印に沿って左方向にいくほど輝度が高いことを示している。図１４において、右眼ｎフレームと左眼ｍフレームとからなる第１の一画面と、右眼ｎ＋１フレームと左眼ｍ＋１フレームとからなる第２の一画面を合わせた光量を比較すると、同図（ａ）に示すように、従来技術における表示映像の輝度は、映像表示部２０の下側の映像のみ輝度が低くなる。また、同図（ｂ）に示すように、実施の形態１における表示映像の輝度は、映像表示部２０の上側および下側の輝度が均一に低くなる。このときの輝度は、同図（ａ）に示す従来技術における表示映像の輝度に比べると、暗さの強度がほぼ１／２に抑制される。さらに、同図（ｃ）に示すように、実施の形態２における表示映像の輝度は、映像表示部２０の全体にわたって、同図（ａ）に示す従来技術および同図（ｂ）に示す実施の形態１における表示映像の輝度よりも高くなる。したがって、映像表示部２０の上側および下側の輝度ムラは、より抑制される。
【０１４６】
（変形例）
次に、本発明の変形例にかかる映像表示システムについて説明する。
【０１４７】
本変形例が上記した実施の形態１と異なる点は、本変形例にかかる映像表示部５０を、映像表示部５０の上下方向に複数の画面領域に分割し、表示装置４１の駆動信号制御部５３が、分割された画面領域に対応する映像信号を供給する点である。
【０１４８】
図１５Ａおよび図１５Ｂは、本変形例における表示映像の例を示す図である。また、図１６は、本変形例にかかる表示装置４１の構成を示すブロック図である。
【０１４９】
図１５Ａに示すように、本変形例では、駆動信号制御部５３は、同一フレームについて、映像表示部５０に表示される画面領域を上下２つの画面領域に分割して制御する。つまり、同一フレームの上下２つの各画面領域に対応する映像信号を同時に同一のライン方向に供給する。ここで、ライン方向とは、ゲート線Ｈｙの先頭ラインから最終ライン、または、最終ラインから先頭ラインの方向のことをいう。
【０１５０】
このような制御を行うための表示装置４１の構成について説明する。
【０１５１】
図１６は、本変形例にかかる表示装置４１の構成を示すブロック図である。図１６に示すように、表示装置４１は、映像表示部５０と、信号入力部５１と、信号処理部５２と、駆動信号制御部５３と、信号送信部５４と、スキャン信号転送部５５と、データ信号転送部５６、５７とを備えている。なお、映像表示部５０、信号入力部５１、信号処理部５２、駆動信号制御部５３、スキャン信号転送部５５、データ信号転送部５６、５７が、それぞれ本発明における表示部、入力部、信号処理部、第１制御部、走査線駆動回路、データ線駆動回路に相当する。
【０１５２】
映像表示部５０は、上側の画面領域である第１画面領域５０ａと、下側の画面領域である第２画面領域５０ｂとを備えている。第１画面領域５０ａには、ゲート線Ｈ１からＨａにより走査信号が供給され、第２画面領域５０ｂには、ゲート線Ｈａ＋１からＨｙにより走査信号が供給される。
【０１５３】
駆動信号制御部５３は、スキャン信号転送部５５に、信号処理部５２から入力された第１フレームと第２フレームの映像信号に対応してスキャン信号転送部５５を駆動するための走査信号を生成する。このとき、同一フレームにおける第１画面領域５０ａと第２画面領域５０ｂにおいて、同時に同一の方向に走査するように走査信号を生成し、スキャン信号転送部５５に供給する。
【０１５４】
例えば、図１５Ａに示す右眼ｎフレームに対応する映像信号を映像表示部５０に表示するときには、第１画面領域５０ａと第２画面領域５０ｂのそれぞれに対応する映像信号を、映像表示部５０の先頭ラインから最終ラインの方向へそれぞれ走査する走査信号を供給する。
【０１５５】
また、スキャン信号転送部５５は、ゲート線Ｈ１からＨａに第１画面領域５０ａを駆動する走査信号を供給し、ゲート線Ｈａ＋１からＨｙに第２画面領域５０ｂを駆動する走査信号を出力する。具体的には、スキャン信号転送部５５は、第１画面領域５０ａの先頭ラインＨ１と、第２画面領域５０ｂの先頭ラインＨａ＋１の計２本のゲート線に同時に走査信号を出力し、同様に、第１画面領域５０ａの最終ラインＨａと第２画面領域５０ｂの最終ラインＨｙまで順に同時に走査信号を出力する。
【０１５６】
駆動信号制御部５３は、信号処理部５２から入力された同一フレームの映像信号のうち、第１画面領域５０ａに対応する映像信号をデータ信号転送部５６に、第２画面領域５０ｂに対応する映像信号をデータ信号転送部５７に供給する。データ信号転送部５６は、第１画面領域５０ａの先頭ラインＨ１から最終ラインＨａの順に、走査信号が供給される各ラインの映像信号Ｖｓｙｎｃを、データ線Ｖｘのそれぞれに供給する。同様に、データ信号転送部５７は、第２画面領域５０ｂの先頭ラインＨａから最終ラインＨｙの順に、走査信号が供給される各ラインの映像信号Ｖｓｙｎｃを、データ線Ｖｘのそれぞれに供給する。
【０１５７】
また、左眼ｍフレームについても同様の制御が行われる。
【０１５８】
さらに、図１５Ａに示す右眼ｎ＋１フレームに対応する映像信号を映像表示部５０に表示するときには、第１画面領域５０ａと第２画面領域５０ｂのそれぞれに対応する映像信号を、映像表示部５０の最終ラインから先頭ラインの方向へそれぞれ走査する走査信号を供給する。
【０１５９】
また、スキャン信号転送部５５は、ゲート線ＨａからＨ１に第１画面領域５０ａを駆動する走査信号を供給し、ゲート線ＨｙからＨａ＋１に第２画面領域５０ｂを駆動する走査信号を出力する。具体的には、スキャン信号転送部５５は、第１画面領域５０ａの最終ラインＨａと、第２画面領域５０ｂの最終ラインＨｙの計２本のゲート線に同時に走査信号を出力し、同様に、第１画面領域５０ａの先頭ラインＨ１と第２画面領域５０ｂの先頭ラインＨａ＋１まで順に同時に走査信号を出力する。
【０１６０】
駆動信号制御部５３は、信号処理部５２から入力された同一フレームの映像信号のうち、第１画面領域５０ａに対応する映像信号をデータ信号転送部５６に、第２画面領域５０ｂに対応する映像信号をデータ信号転送部５７に供給する。データ信号転送部５６は、第１画面領域５０ａの最終ラインＨａから先頭ラインＨ１の順に、走査信号が供給される各ラインの映像信号Ｖｓｙｎｃを、データ線Ｖｘのそれぞれに供給する。同様に、データ信号転送部５７は、第２画面領域５０ｂの最終ラインＨｙから先頭ラインＨａの順に、走査信号が供給される各ラインの映像信号Ｖｓｙｎｃを、データ線Ｖｘのそれぞれに供給する。
【０１６１】
また、左眼ｍ＋１フレームについても同様の制御が行われる。
【０１６２】
このような構成により、映像表示部５０の上側および下側で発生する輝度ムラを抑制することができるとともに、同一フレームについて、第１画面領域５０ａおよび第２画面領域５０ｂごとに各画面領域に対応する映像信号が同時に供給されるので、画面領域を複数に分割せずに映像信号を供給させる場合に比べて、映像信号の供給時間を大幅に短縮できる。
【０１６３】
また、図１５Ｂは、本変形例における表示映像の他の例を示す図である。同図に示すように、駆動信号制御部５３は、同一フレームの第１画面領域５０ａおよび第２画面領域５０ｂに表示される映像信号を、逆のライン方向に同時にスキャンする走査信号を生成し、スキャン信号転送部５５に供給してもよい。
【０１６４】
例えば、図１５Ｂに示す右眼ｎフレームに対応する映像信号を映像表示部５０に表示するときには、駆動信号制御部５３から走査信号を供給されたスキャン信号転送部５５は、第１画面領域５０ａの先頭ラインＨ１と、第２画面領域５０ｂの最終ラインＨｙの計２本のゲート線に同時に走査信号を出力し、同様に、第１画面領域５０ａの最終ラインＨａと第２画面領域５０ｂの先頭ラインＨａ＋１まで順に同時に走査信号を出力する。
【０１６５】
このとき、駆動信号制御部５３は、信号処理部５２から入力された同一フレームの映像信号のうち、第１画面領域５０ａに対応する映像信号をデータ信号転送部５６に、第２画面領域５０ｂに対応する映像信号をデータ信号転送部５７に供給する。データ信号転送部５６は、第１画面領域５０ａの先頭ラインＨ１から最終ラインＨａの順に、走査信号が供給される各ラインの映像信号Ｖｓｙｎｃをデータ線Ｖｘのそれぞれに供給する。同様に、データ信号転送部５７は、第２画面領域５０ｂの最終ラインＨｙから先頭ラインＨａ＋１の順に、走査信号が供給される各ラインの映像信号Ｖｓｙｎｃをデータ線Ｖｘのそれぞれに供給する。
【０１６６】
また、左眼ｍフレームについても同様の制御が行われる。
【０１６７】
また、右眼ｎ＋１フレームに対応する映像信号を映像表示部５０に表示するときには、駆動信号制御部５３から走査信号を供給されたスキャン信号転送部５５は、第１画面領域５０ａの最終ラインＨａと、第２画面領域５０ｂの先頭ラインＨａ＋１の計２本のゲート線に同時に走査信号を出力し、同様に、第１画面領域５０ａの先頭ラインＨ１と第２画面領域５０ｂの最終ラインＨｙまで順に同時に走査信号を出力する。
【０１６８】
このとき、駆動信号制御部５３は、信号処理部５２から入力された同一フレームの映像信号のうち、第１画面領域５０ａに対応する映像信号をデータ信号転送部５６に、第２画面領域５０ｂに対応する映像信号をデータ信号転送部５７に供給する。データ信号転送部５６は、第１画面領域５０ａの最終ラインＨａから先頭ラインＨ１の順に、走査信号が供給される各ラインの映像信号Ｖｓｙｎｃをデータ線Ｖｘのそれぞれに供給する。同様に、データ信号転送部５７は、第２画面領域５０ｂの先頭ラインＨａ＋１から最終ラインＨｙの順に、走査信号が供給される各ラインの映像信号Ｖｓｙｎｃをデータ線Ｖｘのそれぞれに供給する。
【０１６９】
また、左眼ｍ＋１フレームについても同様の制御が行われる。
【０１７０】
このような構成により、映像表示部５０の上側および下側で発生する輝度ムラを抑制することができるとともに、同一フレームについて、第１画面領域５０ａおよび第２画面領域５０ｂごとに各画面領域に対応する映像信号が同時に供給されるので、画面領域を複数に分割せずに映像信号を供給させる場合に比べて、映像信号の供給時間を大幅に短縮できる。
【０１７１】
なお、本変形例では、映像表示部５０を第１画面領域５０ａと第２画面領域５０ｂの２つに分割したが、さらに多くの画面領域に分割してもよい。
【０１７２】
なお、本発明は、上記した実施の形態に限定されるものではなく、本発明の要旨を逸脱しない範囲内で種々の改良、変形を行ってもよい。
【０１７３】
例えば、電子シャッター付メガネ部のエミッタは、電子シャッター付メガネ部の本体に外付けとする構成であってもよい。また、エミッタが表示装置に内蔵されていてもよい。また、外付けされたエミッタは、電子シャッター付メガネ部に有線接続されなくても、例えば赤外線などによって、エミッタと電子シャッター付メガネ部の間で信号の送受信が行われる構成であってもよい。
【０１７４】
また、上記した実施の形態では、スキャン反転黒同時スキャン制御において、映像表示部を４つの画面領域に分割して、シャッター遮蔽期間にそれぞれの画面領域ごとに黒信号を走査したが、画面表示部の分割数は４つに限られず、複数に分割されていればその他の分割数であってもよい。
【０１７５】
また、上記した実施の形態では、映像表示部を第１画面領域と第２画面領域の２つに分割したが、さらに多くの画面領域に分割してもよい。
【０１７６】
また、実施の形態２においても、上記したように、映像表示部を複数の画面領域に分割して制御してもよい。
【０１７７】
また、上記した実施の形態では、有機ＥＬフラットパネルディスプレイを備えた映像表示システムを例として説明したが、本発明は、有機ＥＬフラットパネルディスプレイに限らず、液晶ディスプレイやその他の方式の表示装置を備えた映像表示システムに用いてもよい。
【０１７８】
また、電子シャッター付メガネ部のシャッターは、液晶駆動方式に限らず、その他の駆動方式のシャッターであってもよい。
【０１７９】
また、本発明の趣旨を逸脱しない限り、当業者が思いつく各種変形を本実施の形態に施したものや、異なる実施の形態における構成要素を組み合わせて構築される形態も、本発明の範囲内に含まれる。
【産業上の利用可能性】
【０１８０】
本発明にかかる映像表示システム、映像表示方法および表示装置は、立体映像の表示に用いるディスプレイに利用可能であり、特に、ホールド型駆動の有機ＥＬフラットパネルディスプレイに有用である。
【符号の説明】
【０１８１】
１    映像表示システム
１１、４１    表示装置
１３    電子シャッター付メガネ部
１３ａ    右眼シャッター（シャッター）
１３ｂ    左眼シャッター（シャッター）
１５    発光素子
１６    駆動素子
１７    画素部
２０、５０    映像表示部（表示部）
２１、５１    信号入力部（入力部）
２２、５２    信号処理部
２３、５３    駆動信号制御部（第１制御部）
２４、３２、５４    信号送信部（第１通信部）
２５、５５    スキャン信号転送部（走査線駆動回路）
２６、５６、５７    データ信号転送部（データ線駆動回路）
３１    メガネ同期制御部（第２通信部、第２制御部）
３５    信号受信部（第２通信部）
３６    シャッター切替部（第２制御部）
５０ａ    第１画面領域（画面領域）
５０ｂ    第２画面領域（画面領域）
Ｖｓｙｎｃ    映像信号
【手続補正２】
【補正対象書類名】特許請求の範囲
【補正対象項目名】全文
【補正方法】変更
【補正の内容】
【特許請求の範囲】
【請求項１】
表示装置と電子シャッター付メガネ部とを含む映像表示システムであって、
前記表示装置は、画素部をライン単位で複数配置した表示部と、
前記画素部を駆動する走査信号を各画素部に供給する走査線駆動回路と、
映像信号を前記表示部に配置された各画素部に供給するデータ線駆動回路と、
立体映像の一画面の一方の眼用の画像情報が設定された第１フレームと前記一画面と同一画面の他方の眼用の画像情報が設定された第２フレームとから前記一画面の立体画像を構成する映像信号を、前記データ線駆動回路に供給する第１制御部と、
前記一画面の第１フレームと第２フレームとの切替えタイミングを示す映像同期信号を前記電子シャッター付メガネ部へ送信する第１通信部と、を具備し、
前記第１制御部は、さらに、前記走査線駆動回路に、
第１の一画面に対応する映像信号を前記表示部の先頭ラインから最終ラインへ供給させ、
前記第１の一画面に後続する第２の一画面に対応する映像信号を前記表示部の最終ラインから先頭ラインへ供給させ、
前記電子シャッター付メガネ部は、
一方の眼用のシャッターと、
他方の眼用のシャッターと、
前記映像同期信号を受信する第２通信部と、
前記映像同期信号に応じて前記一方の眼用のシャッターまたは前記他方の眼用のシャッターの開閉を制御する第２制御部と、を具備し、
前記第２制御部は、前記一方の眼用のシャッターおよび前記他方の眼用のシャッターの開閉を切替えるときに、前記一方の眼用のシャッターおよび前記他方の眼用のシャッターの双方を閉状態とするシャッター遮蔽期間を設けるように、前記一方の眼用のシャッターおよび前記他方の眼用のシャッターを制御する
映像表示システム。
【請求項２】
前記第１制御部は、
前記走査線駆動回路に、第１の一画面の第１フレームに対応する映像信号を前記表示部の先頭ラインから最終ラインへ供給させた後、
前記走査線駆動回路に、前記第１の一画面の第１フレームに後続する第１の一画面の第２フレームに対応する映像信号を前記表示部の先頭ラインから最終ラインへ供給させるまでの間、
前記第１の一画面の第１フレームに対応する黒信号を前記表示部の先頭ラインから最終ラインに供給させる
請求項１記載の映像表示システム。
【請求項３】
前記第１制御部は、
前記第１の一画面の第１フレームに対応する黒信号を前記表示部の先頭ラインから最終ラインに供給させる際、
前記シャッター遮蔽期間までは、前記第１の一画面の第１フレームに対応する黒信号を挿入せずに前記第１の一画面の第１フレームに対応する映像信号を供給し続ける
請求項２記載の映像表示システム。
【請求項４】
前記第１制御部は、前記シャッター遮蔽期間に、
前記第１の一画面の第１フレームに対応する黒信号を挿入しなかったラインについては、前記第１の一画面の第１フレームに対応する黒信号を同時に供給させる
請求項３記載の映像表示システム。
【請求項５】
前記第１制御部は、
前記走査線駆動回路に、前記第１の一画面の第２フレームに対応する映像信号を前記表示部の先頭ラインから最終ラインへ供給させた後、
前記走査線駆動回路に、前記第１の一画面の第２フレームに対応する映像信号を供給させた速度と同じ速度で前記第２の一画面の第１フレームに対応する映像信号を前記表示部の最終ラインから先頭ラインへ供給させる
請求項１記載の映像表示システム。
【請求項６】
前記第１制御部は、
前記走査線駆動回路に、前記第１の一画面の第２フレームに対応する映像信号を前記表示部の先頭ラインから最終ラインへ供給させた後、
前記走査線駆動回路に、前記第１の一画面の第２フレームに後続する第２の一画面の第１フレームに対応する映像信号を前記表示部の最終ラインから先頭ラインへ供給させるまでの間、
前記第１の一画面の第２フレームに対応する黒信号を前記表示部の先頭ラインから最終ラインに供給させる
請求項２記載の映像表示システム。
【請求項７】
前記第１制御部は、
前記第１の一画面の第２フレームに対応する黒信号を前記表示部の先頭ラインから最終ラインに供給させる際、
前記黒信号の先頭ラインについては、
前記第１の一画面の第２フレームに対応する黒信号の先頭ラインの２倍の期間供給し、
前記黒信号の最終ラインについては、
前記第１の一画面の第２フレームに対応する最終ラインの映像信号を供給し終わってから、前記第２の一画面の第１フレームに対応する最終ラインの映像信号を供給し始めるまでの間、供給する
請求項６記載の映像表示システム。
【請求項８】
前記第１の一画面の第２フレームに対応する最終ラインの映像信号を供給し終わってから、前記第２の一画面の第１フレームに対応する最終ラインの映像信号を供給し始めるまでの間の時間間隔がない場合、前記黒信号の最終ラインについては、供給しない
請求項６記載の映像表示システム。
【請求項９】
前記第１制御部は、
前記第１の一画面の第２フレームに対応する黒信号を前記表示部の先頭ラインから最終ラインに供給させる際、
前記シャッター遮蔽期間までは、前記第１の一画面の第２フレームに対応する黒信号を挿入せずに前記第１の一画面の第２フレームに対応する映像信号を供給し続ける
請求項６記載の映像表示システム。
【請求項１０】
前記第１制御部は、前記シャッター遮蔽期間に、
前記第１の一画面の第２フレームに対応する黒信号を挿入しなかったラインについては、前記第１の一画面の第２フレームに対応する黒信号を同時に供給させる
請求項９記載の映像表示システム。
【請求項１１】
前記第１制御部は、
前記走査線駆動回路に、第２の一画面の第１フレームに対応する映像信号を前記表示部の最終ラインから先頭ラインへ供給させた後、
前記走査線駆動回路に、前記第２の一画面の第１フレームに後続する第２の一画面の第２フレームに対応する映像信号を前記表示部の最終ラインから先頭ラインへ供給させるまでの間、
前記第２の一画面の第１フレームに対応する黒信号を前記表示部の最終ラインから先頭ラインに供給させる
請求項１記載の映像表示システム。
【請求項１２】
前記第１制御部は、
前記第２の一画面の第１フレームに対応する黒信号を前記表示部の最終ラインから先頭ラインに供給させる際、
前記シャッター遮蔽期間までは、前記第２の一画面の第１フレームに対応する黒信号を挿入せずに前記第２の一画面の第１フレームに対応する映像信号を供給し続ける
請求項１１記載の映像表示システム。
【請求項１３】
前記第１制御部は、前記シャッター遮蔽期間に、
前記第２の一画面の第１フレームに対応する黒信号を前記最終ラインから所定のラインに同時に供給させる
請求項１２記載の映像表示システム。
【請求項１４】
前記第１制御部は、
前記表示部により表示される画面領域を複数に分割し、
前記分割された画面領域ごとに各画面領域に対応する映像信号を供給させる
請求項１記載の映像表示システム。
【請求項１５】
前記第１制御部は、
同一フレームについて、前記分割された画面領域ごとに各画面領域に対応する映像信号を同一のライン方向に供給させる
請求項１４記載の映像表示システム。
【請求項１６】
前記第１制御部は、
前記同一のライン方向として、先頭ラインから最終ラインの方向または最終ラインから先頭ラインの方向のいずれかの方向に、各画面領域に対応する映像信号を供給させる
請求項１５記載の映像表示システム。
【請求項１７】
前記第１制御部は、
同一フレームについて、前記分割された画面領域ごとに各画面領域に対応する映像信号を、逆のライン方向に供給させる
請求項１４記載の映像表示システム。
【請求項１８】
前記第１制御部は、
前記逆のライン方向として、ある画面領域に対応する映像信号を先頭ラインから最終ラインの方向に供給した場合、他の画面領域に対応する映像信号を最終ラインから先頭ラインの方向に供給する
請求項１７記載の映像表示システム。
【請求項１９】
前記表示装置は、
前記映像信号を外部から入力する入力部を備える
請求項１記載の映像表示システム。
【請求項２０】
前記表示装置は、
前記第１フレームと前記第２フレームとが未分離の映像信号を外部から入力する入力部と、
前記未分離の映像信号から前記第１フレームと前記第２フレームとを分離して、前記第１フレームと前記第２フレームとから前記一画面の立体画像を構成する映像信号を生成して前記第１制御部に出力する信号処理部と、を設ける
請求項１記載の映像表示システム。
【請求項２１】
前記映像信号は、当該映像信号に対応する信号電圧である
請求項１〜２０のいずれかに記載の映像表示システム。
【請求項２２】
前記画素部は、発光素子と前記発光素子の駆動を制御する駆動素子とを含む
請求項１〜２１のいずれかに記載の映像表示システム。
【請求項２３】
前記駆動素子は、前記発光素子への電流の供給を制御する
請求項２２記載の映像表示システム。
【請求項２４】
前記発光素子は、有機エレクトロルミネセンス素子である
請求項２３記載の映像表示システム。
【請求項２５】
表示装置と電子シャッター付メガネ部とを用いて行われる映像表示方法であって、
前記表示装置は、
画素部をライン単位で複数配置した表示部と、
前記画素部を駆動させる走査信号を各画素部に供給する走査線駆動回路と、
映像信号を前記表示部に配置された各画素部に供給するデータ線駆動回路と、
立体映像の一画面の一方の眼用の画像情報が設定された第１フレームと前記一画面と同一画面の他方の眼用の画像情報が設定された第２フレームとから前記一画面の立体画像を構成する映像信号を、前記データ線駆動回路に供給する第１制御部と、
前記一画面の第１フレームと第２フレームとの切替えタイミングを示す映像同期信号を前記電子シャッター付メガネ部へ送信する第１通信部と、を具備し、
前記電子シャッター付メガネ部は、
一方の眼用のシャッターと、
他方の眼用のシャッターと、
前記映像同期信号を受信する第２通信部と、
前記映像同期信号に応じて前記一方の眼用のシャッターまたは前記他方の眼用のシャッターの開閉を制御する第２制御部と、を具備し、
前記第１制御部が、さらに、前記走査線駆動回路に、
第１の一画面に対応する映像信号を前記表示部の先頭ラインから最終ラインへ供給させるステップと、
前記第１の一画面に後続する第２の一画面に対応する映像信号を前記表示部の最終ラインから先頭ラインへ供給させるステップと、
前記第２制御部が、前記一方の眼用のシャッターおよび前記他方の眼用のシャッターの開閉を切替えるときに、前記一方の眼用のシャッターおよび前記他方の眼用のシャッターの双方を閉状態とするステップと、を含む
映像表示方法。
【請求項２６】
画素部をライン単位で複数配置した表示部と、
前記画素部を駆動させる走査信号を各画素部に供給する走査線駆動回路と、
映像信号を前記表示部に配置された各画素部に供給するデータ線駆動回路と、
立体映像の一画面の一方の眼用の画像情報が設定された第１フレームと前記一画面と同一画面の他方の眼用の画像情報が設定された第２フレームとから前記一画面の立体画像を構成する映像信号を、前記データ線駆動回路に供給する第１制御部と、を具備し、
前記第１制御部は、さらに、前記走査線駆動回路に、
第１の一画面に対応する映像信号を前記表示部の先頭ラインから最終ラインへ供給させ、
前記第１の一画面に後続する第２の一画面に対応する映像信号を前記表示部の最終ラインから先頭ラインへ供給させる
表示装置。
【請求項２７】
前記画素部は、発光素子と前記発光素子の駆動を制御する駆動素子とを含む
請求項２６記載の表示装置。
【請求項２８】
前記駆動素子は、前記発光素子への電流の供給を制御する
請求項２７記載の表示装置。
【請求項２９】
前記発光素子は、有機エレクトロルミネセンス素子である
請求項２８記載の表示装置。
【手続補正３】
【補正対象書類名】図面
【補正対象項目名】全図
【補正方法】変更
【補正の内容】
【図１】
2011048622.tif 000027
【図２Ａ】
2011048622.tif 000028
【図２Ｂ】
2011048622.tif 000029
【図３】
2011048622.tif 000030
【図４】
2011048622.tif 000031
【図５】
2011048622.tif 000032
【図６】
2011048622.tif 000033
【図７】
2011048622.tif 000034
【図８】
2011048622.tif 000035
【図９Ａ】
2011048622.tif 000036
【図９Ｂ】
2011048622.tif 000037
【図１０】
2011048622.tif 000038
【図１１Ａ】
2011048622.tif 000039
【図１１Ｂ】
2011048622.tif 000040
【図１２】
2011048622.tif 000041
【図１３】
2011048622.tif 000042
【図１４】
2011048622.tif 000043
【図１５Ａ】
2011048622.tif 000044
【図１５Ｂ】
2011048622.tif 000045
【図１６】
2011048622.tif 000046
【図１７】
2011048622.tif 000047
【図１８】
2011048622.tif 000048
【図１９】
2011048622.tif 000049
【図２０】
2011048622.tif 000050
【国際調査報告】
2011048622.tif 000051
2011048622.tif 000052
2011048622.tif 000053